(57)【要約】【課題】インキツボキーの開き量とインキツボローラの送り量の両方を合理的に補正し、インキ供給量の調整を簡単かつ短時間で行えるようにする。【解決手段】インキ供給量の調整前にプリセットされるインキツボキーの基準の開き量およびインキツボローラの基準の送り量とインキ供給量の調整後のインキツボキーの開き量およびインキツボローラの送り量とを比較し、その比較結果より全てのインキツボキーに共通のインキツボキーの開き量の補正量およびインキツボローラの送り量の補正量を求める。【選択図】  図１
2006137096.tif 000002
【特許請求の範囲】
【請求項１】
インキツボキーを複数備え、これらインキツボキーの開き量の調整によってインキツボ内よりインキツボローラに供給されるインキの供給量を調整し、前記インキツボローラの回転量の調整によって前記インキツボローラより刷版へ供給されるインキの供給量を調整し、前記刷版に供給されたインキを印刷用紙に印刷する印刷機のインキ供給量調整方法において、
インキ供給量の調整前にプリセットされる前記インキツボキーの基準の開き量および前記インキツボローラの基準の回転量とインキ供給量の調整後の前記インキツボキーの開き量および前記インキツボローラの回転量とを比較する工程と、
前記インキ供給量調整前のインキツボキーの基準の開き量およびインキツボローラの基準の回転量と前記インキ供給量調整後のインキツボキーの開き量およびインキツボローラの回転量との比較結果より全ての前記インキツボキーに共通のインキツボキーの開き量の補正量および前記インキツボローラの回転量の補正量を求める工程と
を備えたことを特徴とする印刷機のインキ供給量調整方法。
【請求項２】
請求項１に記載された印刷機のインキ供給量調整方法において、
前記補正量を求める工程は、
前記インキツボローラの回転量の補正量を、前記インキツボローラのインキ供給量調整後の回転量とインキ供給量調整前の基準の回転量との差より求める
ことを特徴とする印刷機のインキ供給量調整方法。
【請求項３】
請求項１に記載された印刷機のインキ供給量調整方法において、
前記補正量を求める工程は、
前記インキツボローラの回転量の補正量を、前記インキツボローラのインキ供給量調整後の回転量とインキ供給量調整前の基準の回転量との差に予め定められた係数を掛けることにより求める
ことを特徴とする印刷機のインキ供給量調整方法。
【請求項４】
請求項３に記載された印刷機のインキ供給量調整方法において、
前記補正量を求める工程は、
前記インキツボローラの今回のインキ供給量調整後の回転量とインキ供給量調整前の基準の回転量との差のプラス／マイナスの方向と，過去に調整した複数回の前記インキツボローラのインキ供給量調整後の回転量とインキ供給量調整前の基準の回転量との差の平均値のプラス／マイナスの方向とが同じ場合には前記係数として第１の係数を使用し、
前記インキツボローラの今回のインキ供給量調整後の回転量とインキ供給量調整前の基準の回転量との差のプラス／マイナスの方向と，過去に調整した複数回の前記インキツボローラのインキ供給量調整後の回転量とインキ供給量調整前の基準の回転量との差の平均値のプラス／マイナスの方向とが異なる場合には前記係数として第１の係数よりも小さい第２の係数を使用する
ことを特徴とする印刷機のインキ供給量調整方法。
【請求項５】
請求項１に記載された印刷機のインキ供給量調整方法において、
前記補正量を求める工程は、
前記インキツボローラの回転量の補正量の絶対値が予め定められた上限値よりも大きい場合、前記インキツボローラの回転量の補正量の絶対値が前記上限値になるように、前記インキツボローラの回転量の補正量を補正する
ことを特徴とする印刷機のインキ供給量調整方法。
【請求項６】
請求項１に記載された印刷機のインキ供給量調整方法において、
前記補正量を求める工程は、
前記インキツボキーの開き量の補正量を、複数個のインキツボキーのインキ供給量調整後の開き量とインキ供給量調整前の基準の開き量との差の平均値より求める
ことを特徴とする印刷機のインキ供給量調整方法。
【請求項７】
請求項１に記載された印刷機のインキ供給量調整方法において、
前記補正量を求める工程は、
前記インキツボキーの開き量の補正量を、複数個のインキツボキーのインキ供給量調整後の開き量とインキ供給量調整前の基準の開き量との差の平均値に予め定められた係数を掛けることにより求める
ことを特徴とする印刷機のインキ供給量調整方法。
【請求項８】
請求項７に記載された印刷機のインキ供給量調整方法において、
前記補正量を求める工程は、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが同じ場合には前記係数として第１の係数を使用し、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整方法。
【請求項９】
請求項６〜８の何れか１項に記載された印刷機のインキ供給量調整方法において、
前記複数個のインキツボキーは、そのインキツボキーに対応するエリアの絵柄面積率又は絵柄面積が、分割して定められた複数の範囲のうち最小の範囲に属するインキツボキーであることを特徴とする印刷機のインキ供給量調整方法。
【請求項１０】
請求項１に記載された印刷機のインキ供給量調整方法において、
前記補正量を求める工程は、
前記インキツボローラの回転量の補正量を、複数個のインキツボキーのインキ供給量調整後の開き量とインキ供給量調整前の基準の開き量との差の平均値より求める
ことを特徴とする印刷機のインキ供給量調整方法。
【請求項１１】
請求項１に記載された印刷機のインキ供給量調整方法において、
前記補正量を求める工程は、
前記インキツボローラの回転量の補正量を、複数個のインキツボキーのインキ供給量調整後の開き量とインキ供給量調整前の基準の開き量との差の平均値に予め定められた係数を掛けることにより求める
ことを特徴とする印刷機のインキ供給量調整方法。
【請求項１２】
請求項１１に記載された印刷機のインキ供給量調整方法において、
前記補正量を求める工程は、
前記インキツボローラのインキ供給量調整後の回転量とインキ供給量調整前の基準の回転量との差のプラス／マイナスの方向と，複数個のインキツボキーのインキ供給量調整後の開き量とインキ供給量調整前の基準の開き量との差の平均値のプラス／マイナスの方向とが同じ場合には前記係数として第１の係数を使用し、
前記インキツボローラのインキ供給量調整後の回転量とインキ供給量調整前の基準の回転量との差のプラス／マイナスの方向と，複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整方法。
【請求項１３】
請求項１１に記載された印刷機のインキ供給量調整方法において、
前記補正量を求める工程は、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが同じ場合には前記係数として第１の係数を使用し、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整方法。
【請求項１４】
請求項１に記載された印刷機のインキ供給量調整方法において、
前記補正量を求める工程は、
複数個のインキツボキーのインキ供給量調整後の開き量とインキ供給量調整前の基準の開き量との差の平均値の絶対値が前記インキツボローラのインキ供給量調整後の回転量とインキ供給量調整前の基準の回転量との差の絶対値よりも大きい場合、前記インキツボローラの回転量の補正量を、前記複数個のインキツボキーのインキ供給量調整後の開き量とインキ供給量調整前の基準の開き量との差の平均値に予め定められた係数を掛けることにより求める
ことを特徴とする印刷機のインキ供給量調整方法。
【請求項１５】
請求項１０〜１４の何れか１項に記載されたインキ供給量調整方法において、
前記複数個のインキツボキーは、そのインキツボキーに対応するエリアの絵柄面積率又は絵柄面積が、分割して定められた少なくとも３つの範囲のうち３番目に小さい範囲に属するインキツボキーであることを特徴とする印刷機のインキ供給量調整方法。
【請求項１６】
請求項９又は１５に記載されたインキ供給量調整方法において、
前記補正量を求める工程は、
前記範囲のうち２番目に小さい範囲よりも大きな絵柄面積率又は絵柄面積に対応するインキツボキーがなく、前記インキツボキーの開き量の補正量が求められている場合、前記範囲のうち２番目に小さい範囲に属するインキツボキーのインキ供給量調整後の開き量とインキ供給量調整前の基準の開き量との差の平均値のプラス／マイナスの方向と、前記範囲のうち最小の範囲に属するインキツボキーのインキ供給量調整後の開き量とインキ供給量調整前の基準の開き量との差の平均値のプラス／マイナスの方向とを比較し、両者が異なる場合、前記インキツボローラの回転量の補正量を前記２番目に小さい範囲に属するインキツボキーのインキ供給量調整後の開き量とインキ供給量調整前の基準の開き量との差の平均値より求める
ことを特徴とする印刷機のインキ供給量調整方法。
【請求項１７】
請求項１６に記載されたインキ供給量調整方法において、
前記補正量を求める工程は、
前記インキツボキーの開き量の補正量を、前記２番目に小さい範囲に属するインキツボキーのインキ供給量調整後の開き量とインキ供給量調整前の基準の開き量との差の平均値に予め定められた係数を掛けることにより求める
ことを特徴とする印刷機のインキ供給量調整方法。
【請求項１８】
インキツボキーを複数備え、これらインキツボキーの開き量の調整によってインキツボ内よりインキツボローラに供給されるインキの供給量を調整し、前記インキツボローラの回転量の調整によって前記インキツボローラより刷版へ供給されるインキの供給量を調整し、前記刷版に供給されたインキを印刷用紙に印刷する印刷機のインキ供給量調整装置において、
インキ供給量の調整前にプリセットされる前記インキツボキーの基準の開き量および前記インキツボローラの基準の回転量とインキ供給量の調整後の前記インキツボキーの開き量および前記インキツボローラの回転量とを比較する手段と、
前記インキ供給量調整前のインキツボキーの基準の開き量およびインキツボローラの基準の回転量と前記インキ供給量調整後のインキツボキーの開き量およびインキツボローラの回転量との比較結果より全ての前記インキツボキーに共通のインキツボキーの開き量の補正量および前記インキツボローラの回転量の補正量を求める手段と
を備えたことを特徴とする印刷機のインキ供給量調整装置。
【請求項１９】
請求項１８に記載された印刷機のインキ供給量調整装置において、
前記補正量を求める手段は、
前記インキツボローラの回転量の補正量を、前記インキツボローラのインキ供給量調整後の回転量とインキ供給量調整前の基準の回転量との差より求める
ことを特徴とする印刷機のインキ供給量調整装置。
【請求項２０】
請求項１８に記載された印刷機のインキ供給量調整装置において、
前記補正量を求める手段は、
前記インキツボローラの回転量の補正量を、前記インキツボローラのインキ供給量調整後の回転量とインキ供給量調整前の基準の回転量との差に予め定められた係数を掛けることにより求める
ことを特徴とする印刷機のインキ供給量調整装置。
【請求項２１】
請求項２０に記載された印刷機のインキ供給量調整装置において、
前記補正量を求める手段は、
前記インキツボローラの今回のインキ供給量調整後の回転量とインキ供給量調整前の基準の回転量との差のプラス／マイナスの方向と，過去に調整した複数回の前記インキツボローラのインキ供給量調整後の回転量とインキ供給量調整前の基準の回転量との差の平均値のプラス／マイナスの方向とが同じ場合には前記係数として第１の係数を使用し、
前記インキツボローラの今回のインキ供給量調整後の回転量とインキ供給量調整前の基準の回転量との差のプラス／マイナスの方向と，過去に調整した複数回の前記インキツボローラのインキ供給量調整後の回転量とインキ供給量調整前の基準の回転量との差の平均値のプラス／マイナスの方向とが異なる場合には前記係数として第１の係数よりも小さい第２の係数を使用する
ことを特徴とする印刷機のインキ供給量調整装置。
【請求項２２】
請求項１８に記載された印刷機のインキ供給量調整装置において、
前記補正量を求める手段は、
前記インキツボローラの回転量の補正量の絶対値が予め定められた上限値よりも大きい場合、前記インキツボローラの回転量の補正量の絶対値が前記上限値になるように、前記インキツボローラの回転量の補正量を補正する
ことを特徴とする印刷機のインキ供給量調整装置。
【請求項２３】
請求項１８に記載された印刷機のインキ供給量調整装置において、
前記補正量を求める手段は、
前記インキツボキーの開き量の補正量を、複数個のインキツボキーのインキ供給量調整後の開き量とインキ供給量調整前の基準の開き量との差の平均値より求める
ことを特徴とする印刷機のインキ供給量調整装置。
【請求項２４】
請求項１８に記載された印刷機のインキ供給量調整装置において、
前記補正量を求める手段は、
前記インキツボキーの開き量の補正量を、複数個のインキツボキーのインキ供給量調整後の開き量とインキ供給量調整前の基準の開き量との差の平均値に予め定められた係数を掛けることにより求める
ことを特徴とする印刷機のインキ供給量調整装置。
【請求項２５】
請求項２４に記載された印刷機のインキ供給量調整装置において、
前記補正量を求める手段は、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが同じ場合には前記係数として第１の係数を使用し、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整装置。
【請求項２６】
請求項２３〜２５の何れか１項に記載された印刷機のインキ供給量調整装置において、
前記複数個のインキツボキーは、そのインキツボキーに対応するエリアの絵柄面積率又は絵柄面積が、分割して定められた複数の範囲のうち最小の範囲に属するインキツボキーであることを特徴とする印刷機のインキ供給量調整装置。
【請求項２７】
請求項１８に記載された印刷機のインキ供給量調整装置において、
前記補正量を求める手段は、
前記インキツボローラの回転量の補正量を、複数個のインキツボキーのインキ供給量調整後の開き量とインキ供給量調整前の基準の開き量との差の平均値より求める
ことを特徴とする印刷機のインキ供給量調整装置。
【請求項２８】
請求項１８に記載された印刷機のインキ供給量調整装置において、
前記補正量を求める手段は、
前記インキツボローラの回転量の補正量を、複数個のインキツボキーのインキ供給量調整後の開き量とインキ供給量調整前の基準の開き量との差の平均値に予め定められた係数を掛けることにより求める
ことを特徴とする印刷機のインキ供給量調整装置。
【請求項２９】
請求項２８に記載された印刷機のインキ供給量調整装置において、
前記補正量を求める手段は、
前記インキツボローラのインキ供給量調整後の回転量とインキ供給量調整前の基準の回転量との差のプラス／マイナスの方向と，複数個のインキツボキーのインキ供給量調整後の開き量とインキ供給量調整前の基準の開き量との差の平均値のプラス／マイナスの方向とが同じ場合には前記係数として第１の係数を使用し、
前記インキツボローラのインキ供給量調整後の回転量とインキ供給量調整前の基準の回転量との差のプラス／マイナスの方向と，複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整装置。
【請求項３０】
請求項２８に記載された印刷機のインキ供給量調整装置において、
前記補正量を求める手段は、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが同じ場合には前記係数として第１の係数を使用し、
今回の複数個のインキツボキーのインキ供給量調整後の開き量とインキ供給量調整前の基準の開き量との差の平均値のプラス／マイナスの方向と，過去に調整した複数回の前記複数個のインキツボキーのインキ供給量調整後の開き量とインキ供給量調整前の基準の開き量との差の平均値のプラス／マイナスの方向とが異なる場合には前記係数として第１の係数よりも小さい第２の係数を使用する
ことを特徴とする印刷機のインキ供給量調整装置。
【請求項３１】
請求項１８に記載された印刷機のインキ供給量調整装置において、
前記補正量を求める手段は、
複数個のインキツボキーのインキ供給量調整後の開き量とインキ供給量調整前の基準の開き量との差の平均値の絶対値が前記インキツボローラのインキ供給量調整後の回転量とインキ供給量調整前の基準の回転量との差の絶対値よりも大きい場合、前記インキツボローラの回転量の補正量を、前記複数個のインキツボキーのインキ供給量調整後の開き量とインキ供給量調整前の基準の開き量との差の平均値に予め定められた係数を掛けることにより求める
ことを特徴とする印刷機のインキ供給量調整装置。
【請求項３２】
請求項２７〜３１の何れか１項に記載されたインキ供給量調整装置において、
前記複数個のインキツボキーは、そのインキツボキーに対応するエリアの絵柄面積率又は絵柄面積が、分割して定められた少なくとも３つの範囲のうち３番目に小さい範囲に属するインキツボキーであることを特徴とする印刷機のインキ供給量調整装置。
【請求項３３】
請求項２６又は３２に記載されたインキ供給量調整装置において、
前記補正量を求める手段は、
前記範囲のうち２番目に小さい範囲よりも大きな絵柄面積率又は絵柄面積に対応するインキツボキーがなく、前記インキツボキーの開き量の補正量が求められている場合、前記範囲のうち２番目に小さい範囲に属するインキツボキーのインキ供給量調整後の開き量とインキ供給量調整前の基準の開き量との差の平均値のプラス／マイナスの方向と、前記範囲のうち最小の範囲に属するインキツボキーのインキ供給量調整後の開き量とインキ供給量調整前の基準の開き量との差の平均値のプラス／マイナスの方向とを比較し、両者が異なる場合、前記インキツボローラの回転量の補正量を前記２番目に小さい範囲に属するインキツボキーのインキ供給量調整後の開き量とインキ供給量調整前の基準の開き量との差の平均値より求める
ことを特徴とする印刷機のインキ供給量調整装置。
【請求項３４】
請求項３３に記載されたインキ供給量調整装置において、
前記補正量を求める手段は、
前記インキツボキーの開き量の補正量を、前記２番目に小さい範囲に属するインキツボキーのインキ供給量調整後の開き量とインキ供給量調整前の基準の開き量との差の平均値に予め定められた係数を掛けることにより求める
ことを特徴とする印刷機のインキ供給量調整装置。
【発明の詳細な説明】
【技術分野】
【０００１】
この発明は、インキツボキーの開き量やインキツボローラの回転量（以下、送り量と記載する）の設定を調整することによって刷版へのインキ供給量を調整する印刷機のインキ供給量調整方法および装置に関するものである。
【背景技術】
【０００２】
図５６に輪転印刷機における各色の印刷ユニット内のインキ装置（インカー）の要部を示す。同図において、１はインキツボ、２はインキツボ１に蓄えられたインキ、３はインキツボローラ、４（４−１〜４−ｎ）はインキツボローラ３の軸方向に複数並設して設けられたインキツボキー、５はインキ移しローラ、６はインキローラ群、７は版胴８に装着された刷版であり、刷版７には絵柄が焼き付けられている。
【０００３】
この印刷機では、インキツボキー４−１〜４−ｎの開き量の調整によってインキツボ１内よりインキツボローラ３に供給されるインキの供給量を調整し、このインキツボローラ３の送り量の調整によってインキツボローラ３よりインキローラ群６を介して刷版７へ供給されるインキの供給量を調整し、この刷版７に供給されたインキを印刷用紙に印刷する。
【０００４】
インキツボキー４−１〜４−ｎの開き量は、インキツボキー４−１〜４−ｎに対応する刷版７の各エリアの絵柄面積率に応じ、予め設定されている「絵柄面積率−インキツボキー開き量変換カーブ」に従って設定される。また、インキツボローラ３の送り量（インキ送り量）は、予め設定されている基準インキ送り量に従って設定される。このインキツボキー４−１〜４−ｎの開き量の設定およびインキツボローラ３の送り量の設定は各色の印刷ユニット毎に行われる。すなわち、「絵柄面積率−インキツボキー開き量変換カーブ」や基準インキ送り量は、各色毎に固定的に定められている。
【０００５】
しかしながら、上述した方法では、季節による印刷環境の変化（温度や湿度の変化等）や、ブランケットやゴムローラ等の印刷資材の経時変化などにより、適正なインキ供給量を求めることができなくなる。このため、オペレータは、上記の「絵柄面積率−インキツボキー開き量変換カーブ」や「基準インキ送り量」によってインキツボキー４−１〜４−ｎの開き量やインキツボローラ３の送り量が設定された後、刷版７により印刷された印刷物の色を見ながら手動で、インキツボキー４−１〜４−ｎの開き量を微調整したり、インキツボローラ３の送り量を微調整することにより、個々に対応している。このインキ供給量の微調整には、非常に高度な技術が必要であり、だれでもが簡単に行うことはできない。また、微調整に多大な時間がかかり、印刷作業に遅滞が生じる。
【０００６】
そこで、最近では、例えば特許文献１に示されているように、オペレータが最終的に調整した後のインキ供給量を用いて「絵柄面積率−インキツボキー開き量変換カーブ」を補正し、できるだけ適正なインキ量を供給するようにしている。
【０００７】
【特許文献１】特開昭６１−１６２３５５号公報
【特許文献２】特開昭６１−２６８４４９号公報
【特許文献３】特開昭５８−２０１００８号公報
【特許文献４】特開昭５８−２０１０１０号公報
【発明の開示】
【発明が解決しようとする課題】
【０００８】
しかしながら、上述した特許文献１に示された方法では、インキツボキーの開き量のみで補正を行っているため、全体的にインキ供給量を増減したい場合、全てのインキツボキーの開き量を調整しなければならず、面倒で手間がかかると共に、その分時間がかかり、印刷資材が無駄になり、作業効率も悪くなるという問題があった。
なお、特許文献２には、インキツボキーの開き量とインキツボローラの送り量の両方を補正することが示されているが、単なるアイデアにとどまり、合理性に欠けている。
【０００９】
本発明は、このような課題を解決するためになされたもので、その目的とするところは、インキツボキーの開き量とインキツボローラの送り量の両方を合理的に補正し、インキ供給量の調整を簡単かつ短時間で行うことが可能な印刷機のインキ供給量調整方法および装置を提供することにある。
【課題を解決するための手段】
【００１０】
このような目的を達成するために本発明は、インキツボキーを複数備え、これらインキツボキーの開き量の調整によってインキツボ内よりインキツボローラに供給されるインキの供給量を調整し、インキツボローラの送り量の調整によってインキツボローラより刷版へ供給されるインキの供給量を調整し、刷版に供給されたインキを印刷用紙に印刷する印刷機のインキ供給量調整方法において、インキ供給量の調整前にプリセットされるインキツボキーの基準の開き量およびインキツボローラの基準の送り量とインキ供給量の調整後のインキツボキーの開き量およびインキツボローラの送り量とを比較する工程と、インキ供給量調整前のインキツボキーの基準の開き量およびインキツボローラの基準の送り量とインキ供給量調整後のインキツボキーの開き量およびインキツボローラの送り量との比較結果より全てのインキツボキーに共通のインキツボキーの開き量の補正量およびインキツボローラの送り量の補正量を求める工程とを設けたものである。
この発明によれば、インキ供給量の調整前にプリセットされるインキツボキーの基準の開き量およびインキツボローラの基準の送り量とインキ供給量の調整後のインキツボキーの開き量およびインキツボローラの送り量とが比較され、その比較結果より全てのインキツボキーに共通のインキツボキーの開き量の補正量およびインキツボローラの送り量の補正量が求められる。
【００１１】
この発明において、インキ供給量の調整前にプリセットされるインキツボキーの基準の開き量とは、前回の調整で開き量の補正量が求められていれば、その補正量を例えば「絵柄面積率−インキツボキー開き量変換カーブ」から求められる開き量に加えたものとされる。また、インキ供給量の調整前にプリセットされるインキツボローラの基準の送り量とは、前回の調整で送り量の補正量が求められていれば、その補正量を例えば固定的に定められている基準インキ送り量に加えたものとされる。
【００１２】
なお、基準インキ送り量は、「絵柄面積率−インキツボローラ送り量変換カーブ」を定め、この「絵柄面積率−インキツボローラ送り量変換カーブ」から求めるようにしてもよい。また、絵柄面積率ではなく絵柄面積そのものを使用するようにしてもよい。また、開き量の補正量や送り量の補正量がまだ求められていない場合には、すなわち初回の調整時には、絵柄面積率や絵柄面積から求められる開き量がインキツボキーの基準の開き量とされる。また、固定的に定められている基準インキ送り量や、絵柄面積率や絵柄面積から求められる基準インキ送り量がインキツボローラの基準の送り量とされる。
【００１３】
〔インキツボローラの送り量の変化からのインキツボローラの送り量の補正量（第１の補正量）の学習〕
本発明において、インキツボローラの送り量の補正量（第１の補正量）は、例えば、インキツボローラのインキ供給量調整後の送り量とインキ供給量調整前の基準の送り量との差に予め定められた係数を掛けることにより求める。この場合、インキツボローラのインキ供給量調整後の送り量とインキ供給量調整前の基準の送り量との差のプラス／マイナスの方向と，過去に調整した複数回のインキツボローラのインキ供給量調整後の送り量とインキ供給量調整前の基準の送り量との差の平均値のプラス／マイナスの方向とが同じ場合には係数として第１の係数を使用し、異なる場合には係数として第１の係数（ＫＡ１）よりも小さい第２の係数（ＫＡ２）を使用する。すなわち、インキツボローラの送り量の調整が以前の傾向と反するときは、係数を小さくして、補正の度合いを少なくする。
【００１４】
なお、インキツボローラの送り量の補正量の絶対値が予め定められた上限値よりも大きい場合、インキツボローラの送り量の補正量の絶対値が上限値になるように、インキツボローラの送り量の補正量を補正する。すなわち、インキツボローラの送り量の補正量に上限値を設定し、上限値以上の補正は行わないようにする。
【００１５】
〔インキツボキーの開き量の変化からのインキツボキーの開き量の補正量の学習〕
本発明において、インキツボキーの開き量の補正量は、例えば、複数個のインキツボキーのインキ供給量調整後の開き量とインキ供給量調整前の基準の開き量との差の平均値に予め定められた係数を掛けることにより求める。この場合、複数個のインキツボキーのインキ供給量調整後の開き量とインキ供給量調整前の基準の開き量との差の平均値のプラス／マイナスの方向と，過去に調整した複数回の複数個のインキツボキーのインキ供給量調整後の開き量とインキ供給量調整前の基準の開き量との差の平均値のプラス／マイナスの方向とが同じ場合には係数として第１の係数（ＫＢ１）を使用し、異なる場合には係数として第１の係数よりも小さい第２の係数（ＫＢ２）を使用する。すなわち、インキツボキーの開き量の調整が以前の傾向と反するときは、係数を小さくして、補正の度合いを少なくする。
【００１６】
なお、このインキツボキーの開き量の補正量を学習する場合、複数個のインキツボキーは、そのインキツボキーに対応するエリアの絵柄面積率又は絵柄面積が、分割して定められた複数の範囲（例えば、４つの範囲）のうち最小の範囲に属するインキツボキーとする。すなわち、開き量が小さく、インキツボローラの送り量の変化には鈍感であるが、微小な開き量の変化にも影響を受けるエリアに対応するインキツボキーの集まりとする。
【００１７】
〔インキツボキーの開き量の変化からのインキツボローラの送り量の補正量（第２の補正量）の学習〕
本発明において、インキツボローラの送り量の補正量（第２の補正量）は、複数個のインキツボキーのインキ供給量調整後の開き量とインキ供給量調整前の基準の開き量との差の平均値に予め定められた係数を掛けることにより求める。この場合、インキツボローラのインキ供給量調整後の送り量とインキ供給量調整前の基準の送り量との差のプラス／マイナスの方向と，複数個のインキツボキーのインキ供給量調整後の開き量とインキ供給量調整前の基準の開き量との差の平均値のプラス／マイナスの方向とが同じ場合には係数として第１の係数（ＫＡ３）を使用し、異なる場合には係数として第１の係数よりも小さい第２の係数（ＫＡ４）を使用する。すなわち、インキツボローラの送り量の調整方向とインキツボキーの開き量の調整方向とが反するときは、係数を小さくして、インキツボローラの送り量の補正量を小さくする。
【００１８】
本発明において、インキツボローラの送り量の補正量（第２の補正量）は、複数個のインキツボキーのインキ供給量調整後の開き量とインキ供給量調整前の基準の開き量との差の平均値に予め定められた係数を掛けることにより求める。この場合、複数個のインキツボキーのインキ供給量調整後の開き量とインキ供給量調整前の基準の開き量との差の平均値のプラス／マイナスの方向と，過去に調整した複数回の複数個のインキツボキーのインキ供給量調整後の開き量とインキ供給量調整前の基準の開き量との差の平均値のプラス／マイナスの方向とが同じ場合には係数として第１の係数（ＫＡ３）を使用し、異なる場合には係数として第１の係数よりも小さい第２の係数（ＫＡ４）を使用する。すなわち、インキツボキーの開き量の調整方向が以前の傾向と反するときは、係数を小さくして、インキツボローラの送り量の補正量を小さくする。
【００１９】
本発明において、インキツボローラの送り量の補正量（第２の補正量）は、複数個のインキツボキーのインキ供給量調整後の開き量とインキ供給量調整前の基準の開き量との差の平均値の絶対値がインキツボローラのインキ供給量調整後の送り量とインキ供給量調整前の基準の送り量との差の絶対値よりも大きい場合、複数個のインキツボキーのインキ供給量調整後の開き量とインキ供給量調整前の基準の開き量との差の平均値に予め定められた係数（ＫＡ４）を掛けることにより求める。
【００２０】
なお、このインキツボローラの送り量の第２の補正量を学習する場合、複数個のインキツボキーは、そのインキツボキーに対応するエリアの絵柄面積率又は絵柄面積が、分割して定められた少なくとも３つの範囲（例えば、４つの範囲）のうち３番目に小さい範囲に属するインキツボキーとする。すなわち、日常使用され、開き量が大きく、微小な開き量の変化には相対的に影響を受け難く、逆にインキツボローラの送り量の変化に相対的に大きく影響されるエリアに対応するインキツボキーの集まりとする。
【００２１】
〔インキツボキーの開き量の変化からのインキツボローラの送り量の補正量（第３の補正量）の学習〕
本発明では、上述のようにしてインキツボキーの開き量の補正量やインキツボローラの送り量の補正量（第１、第２の補正量）を求めるが、２番目に小さい範囲よりも大きな絵柄面積率又は絵柄面積に対応するインキツボキーがなく、インキツボキーの開き量の補正量が求められている場合、２番目に小さい範囲に属するインキツボキーのインキ供給量調整後の開き量とインキ供給量調整前の基準の開き量との差の平均値のプラス／マイナスの方向と、最小の範囲に属するインキツボキーのインキ供給量調整後の開き量とインキ供給量調整前の基準の開き量との差の平均値のプラス／マイナスの方向とを比較し、両者が異なる場合、インキツボローラの送り量の補正量（第３の補正量）を、２番目に小さい範囲に属するインキツボキーのインキ供給量調整後の開き量とインキ供給量調整前の基準の開き量との差の平均値に予め定められた係数（ＫＡ５）を掛けることにより求める。
【００２２】
すなわち、絵柄面積率又は絵柄面積が２番目に小さい範囲では、インキツボキーの開き量とインキツボローラの送り量の両方の影響を受け、どちらの要素が原因で色調が変化したのか判断するのが難しい。このため、通常は、２番目に小さい範囲をメインとしたインキツボローラの送り量の補正量の学習は行わない。最小の範囲に属するインキツボキーと２番目に小さい範囲に属するインキツボキーとの調整方向が反し、かつ２番目に小さい範囲以降に属するインキツボキーがない場合にのみ、すなわち最小の範囲や２番目に小さい範囲に属するインキツボキーしかない場合にのみ、インキツボローラの送り量の影響を受けるものと判断し、インキツボローラの送り量の第３の補正量を学習する。
【発明の効果】
【００２３】
本発明によれば、インキ供給量の調整前にプリセットされるインキツボキーの基準の開き量およびインキツボローラの基準の送り量とインキ供給量の調整後のインキツボキーの開き量およびインキツボローラの送り量とが比較され、その比較結果より全てのインキツボキーに共通のインキツボキーの開き量の補正量およびインキツボローラの送り量の補正量が求められるものとなり、インキツボキーの開き量とインキツボローラの送り量の両方を合理的に補正し、インキ供給量の調整を簡単かつ短時間で行うことが可能となる。
【発明を実施するための最良の形態】
【００２４】
以下、本発明を図面に基づいて詳細に説明する。
〔実施の形態１〕
図１は本発明の実施に用いる印刷機のインキ供給量制御装置の一例を示すブロック図である。同図において、９は本発明に係るインキ供給量制御装置であり、ＣＰＵ９−１と、ＲＡＭ９−２と、ＲＯＭ９−３と、入力装置９−４と、メモリ９−５と、インターフェース（Ｉ／Ｏ、Ｉ／Ｆ）９−６，９−７とを備えており、インターフェース９−６を介して印刷機制御装置１０，インキツボローラ制御装置１１およびインキツボキー制御装置１２と接続されている。
【００２５】
ＣＰＵ９−１は、インターフェイス９−６，９−７を介して与えられる各種入力情報を得て、ＲＡＭ９−２やメモリ９−５にアクセスしながら、ＲＯＭ９−３に格納されたプログラムに従って動作する。ＲＯＭ９−３には、本実施の形態特有のプログラムとして、インキツボローラの送り量（回転量）の補正量およびインキツボキーの開き量の補正量を学習する補正量学習プログラムが格納されている。
【００２６】
また、入力装置９−４には、学習ボタンＢＴ１と、インキツボローラの送り量調整ボタンＢＴ２と、インキツボキーの開き量調整ボタンＢＴ３などが設けられている。メモリ９−５には、インキツボローラの送り量の補正量の学習に際して用いる係数ＫＡ１〜ＫＡ５と、インキツボキーの開き量の補正量の学習に際して用いる係数ＫＢ１およびＫＢ２が格納されている。本実施の形態において、係数ＫＡ１とＫＡ２、係数ＫＡ３とＫＡ４、係数ＫＢ１とＫＢ２は、それぞれペアで用いられ、ＫＡ１＞ＫＡ２、ＫＡ３＞ＫＡ４、ＫＢ１＞ＫＢ２とされている。また、ＫＡ１〜ＫＡ５、ＫＢ１，ＫＢ２は、１以下の係数とされている。また、メモリ９−５には、「絵柄面積率−インキツボキー開き量変換カーブ」と「絵柄面積率−インキツボローラ送り量変換カーブ」が格納されている。
【００２７】
〔インキツボローラの送り量の補正量およびインキツボキーの開き量の補正量の学習〕
今、前提条件として、過去にもこれから説明すると同様のインキツボローラの送り量の補正量およびインキツボキーの開き量の補正量の学習動作が行われており、その学習結果として、メモリ９−５にインキツボローラの送り量の補正量ΔＮＳspnew が、全インキツボキーに共通のインキツボキーの開き量の補正量Δθspnew が格納されているものとする。
【００２８】
また、過去の補正量の学習毎に、その時に使用したインキ供給量調整後のインキツボローラの送り量ＮＳ’とインキ供給量調整前の基準の送り量ＮＳspとの差ΔＮＳ’が過去の送り量の履歴データとしてメモリ９−５に格納されているものとする。また、過去の補正量の学習毎に、その時に使用したインキ供給量調整後のインキツボキーの開き量θ１’〜θｎ’とインキ供給量調整前の基準の開き量θ１sp〜θｎspが過去の開き量の履歴データとしてメモリ９−５に格納されているものとする。この例では、補正量の学習が過去にＭ回行われており、その時に使用したインキツボローラのインキ供給量調整後の送り量とインキ供給量調整前の基準の送り量との差ΔＮＳ1'〜ΔＮＳM'が、またその時に使用したインキツボキーのインキ供給量調整後の開き量θ１1'〜θｎ1'，・・・・，θ１M'〜θｎM'およびインキ供給量調整前の基準の開き量θ１sp1〜θｎsp1，・・・・，θ１spM〜θｎspM が履歴データとして格納されているものとする。
【００２９】
今、図５６において、刷版７を装着し、インキツボローラ３の送り量およびインキツボキー４−１〜４−ｎの開き量をプリセットするものとする。この場合、インキ供給量制御装置９−１のＣＰＵ９−１は、刷版７のインキツボキー４−１〜４−ｎに対応するエリアの絵柄面積率の平均値を求め、メモリ９−５に格納されている「絵柄面積率−インキツボローラ送り量変換カーブ」により、その絵柄面積率の平均値に対応するインキツボローラの送り量ＮＳB を求める。また、インキツボキー４−１〜４−ｎに対応するエリアの絵柄面積率より、メモリ９−５に格納されている「絵柄面積率−インキツボキー開き量変換カーブ」を参照し、その絵柄面積率に対応するインキツボキーの開き量θ１B 〜θｎB を求める。
【００３０】
そして、求めたインキツボローラの送り量ＮＳB にメモリ９−５に格納されているその時のインキツボローラの送り量の補正量ΔＮＳspnew を加え（ΔＮＳspnew がプラスなら加算、ΔＮＳspnew がマイナスなら減算）、インキツボローラの送り量のプリセット値（インキ供給量調整前の基準の送り量）ＮＳspとし、インキツボローラ制御装置１１へ与える。また、求めたインキツボキーの開き量θ１B 〜θｎB にメモリ９−５に格納されているその時のインキツボキーの開き量の補正量Δθspnew を一律に加え（Δθspnew がプラスなら加算、Δθspnew がマイナスなら減算）、インキツボキーの開き量のプリセット値（インキ供給量調整前の基準の開き量）θ１sp〜θｎspとしてインキツボキー制御装置１２へ送る。これにより、インキツボーローラ３の送り量がＮＳspに合わせ込まれ、インキツボキー４−１〜４−ｎの開き量がθ１sp〜θｎspに合わせ込まれる。
【００３１】
オペレータは、このプリセット状態で、すなわちインキツボーローラ３の送り量をＮＳsp、インキツボキー４−１〜４−ｎの開き量をθ１sp〜θｎspとした状態で、印刷を開始させる。そして、このプリセット状態で印刷された印刷物の色を見て、所望の色合いが得られるように、インキツボローラの送り量調整ボタンＢＴ２やインキツボキーの開き量調整ボタンＢＴ３を操作して、インキツボローラ３の送り量やインキツボキー４−１〜４−ｎの開き量を微調整し、印刷を再スタートする。
【００３２】
ＣＰＵ９−１は、インキツボローラ３の送り量やインキツボキー４−１〜４−ｎの開き量が調整され、印刷が再スタートされると（図２に示すステップ１０２のＹＥＳ）、ステップ１−１でリセット中の内部カウンタの動作を開始し、印刷枚数のカウントを始める。そして、内部カウンタのカウント値が予め定められた安定枚数に達すると（ステップ１０３）、学習ボタンＢＴ１をアクティブにする（ステップ１０４）。例えば、学習ボタンＢＴ１の表示色を変える等して、オペレータに学習可能な状態となったことを知らせる。
【００３３】
〔インキツボローラの送り量の変化からのインキツボローラの送り量の補正量（第１の補正量）の学習〕
学習ボタンＢＴ１がオンとされると（ステップ１０５のＹＥＳ）、ＣＰＵ９−１は、先ず最初に、インキツボローラの送り量の変化からインキツボローラの送り量の第１の補正量ΔＮＳsp1 を学習する。このインキツボローラの送り量の第１の補正量ΔＮＳsp1 の学習は次のようにして行う。
【００３４】
ＣＰＵ９−１は、先ず、今回のインキツボローラの送り量のプリセット値ＮＳsp、すなわち今回のインキ供給量調整前のインキツボローラの基準の送り量ＮＳspと、現在のインキツボローラの送り量ＮＳ’、すなわち今回のインキ供給量調整後のインキツボローラの送り量ＮＳ’と、過去のインキツボローラの送り量の履歴データΔＮＳ1'〜ΔＮＳM'を収集する（ステップ１０６）。
【００３５】
そして、今回のインキツボローラのインキ供給量調整後の送り量ＮＳ’とインキ供給量調整前の基準の送り量ＮＳspとの差ΔＮＳ’と、過去の履歴データΔＮＳ1'〜ΔＮＳM'の平均値ΔＮＳ'av を求め（ステップ１０７，１０８）、ΔＮＳ’とΔＮＳ'av のプラス／マイナスの方向が一致しているか否かをチェックする（ステップ１０９）。このとき、ΔＮＳ’とΔＮＳ'av の何れか一方が０であった場合、両者のプラス／マイナスの方向は同方向であると判断する。
【００３６】
ΔＮＳ’とΔＮＳ'av の方向が同方向であった場合（ステップ１０９のＹＥＳ）、ＣＰＵ９−１は、メモリ９−５から係数ＫＡ１を読み出し（ステップ１１０）、この係数ＫＡ１をステップ１０７で求めたΔＮＳ’に掛けて、インキツボローラの送り量の第１の補正量ΔＮＳsp1 （ΔＮＳsp1 ＝ΔＮＳ’×ＫＡ１）を求める（ステップ１１１）。
【００３７】
ΔＮＳ’とΔＮＳ'av の方向が異方向であった場合（ステップ１０９のＮＯ）、ＣＰＵ９−１は、メモリ９−５から係数ＫＡ２（ＫＡ１＞ＫＡ２）を読み出し（ステップ１１２）、この係数ＫＡ２をΔＮＳ’に掛けて、インキツボローラの送り量の第１の補正量ΔＮＳsp1 を求める（ステップ１１３）。
【００３８】
そして、ステップ１１１あるいはステップ１１３で求めたインキツボローラの送り量の第１の補正量ΔＮＳsp1 を、メモリ９−５に格納されている現在のインキツボローラの送り量の補正量ΔＮＳspnew に加え、すなわち前回の学習で求められたインキツボローラの送り量の補正量ΔＮＳspnew に加え、次回のインキツボローラの送り量の補正量ΔＮＳspnew （ΔＮＳspnew （次回値）＝ΔＮＳspnew （前回値）＋ΔＮＳsp1 ）とする（ステップ１１４）。
【００３９】
このインキツボローラの送り量の第１の補正量ΔＮＳsp1 の学習では、ΔＮＳ’とΔＮＳ'av の方向が異方向であった場合、すなわちインキツボローラの送り量の調整が以前の傾向と反するときは、係数ＫＡ１よりも小さい係数ＫＡ２が使用され、補正の度合いが少なくされる。また、ΔＮＳ’に１以下の係数ＫＡ１やＫＡ２を掛けることによって、設定が一気に大きく変化することがなくなる。
【００４０】
なお、この実施の形態では、インキツボローラの送り量の第１の補正量ΔＮＳsp1 に対して上限値ΔＮＳupを定め、ステップ１１１や１１３で求められたインキツボローラの送り量の第１の補正量ΔＮＳsp1 の絶対値が上限値ΔＮＳupよりも大きい場合、ΔＮＳsp1 の絶対値がΔＮＳupになるようにΔＮＳsp1 を補正し、ΔＮＳsp1 が上限値ΔＮＳupを超えないようにしている。
【００４１】
〔インキツボキーの開き量の変化からのインキツボキーの開き量の補正量の学習〕
次に、ＣＰＵ９−１は、インキツボキーの開き量の変化からインキツボキーの開き量の補正量Δθspnew を学習する。このインキツボキーの開き量の補正量Δθspnew の学習は次のようにして行う。
【００４２】
ＣＰＵ９−１は、今回のインキツボキーの開き量のプリセット値θ１sp〜θｎsp、すなわち今回のインキ供給量調整前のインキツボキーの基準の開き量θ１sp〜θｎspと、現在のインキツボキーの開き量θ１’〜θｎ’、すなわち今回のインキ供給量調整後のインキツボキーの開き量θ１’〜θｎ’と、過去のインキツボキーのインキ供給量調整後の開き量θ１1'〜θｎ1'，・・・・，θ１M'〜θｎM'およびインキ供給量調整前の基準の開き量θ１sp1 〜θｎsp1 ，・・・・，θ１spM 〜θｎspM を、そのインキツボキーに対応するエリアの絵柄面積率と対応づけて収集する（図３に示すステップ１１５）。
【００４３】
そして、今回のインキ供給量調整前のインキツボキーの基準の開き量θ１sp〜θｎsp、今回のインキ供給量調整後のインキツボキーの開き量θ１’〜θｎ’、過去のインキ供給量調整後のインキツボキーの開き量の履歴データθ１1'〜θｎ1'・・・・θ１M'〜θｎM'の平均値θ１'av〜θｎ'av、過去のインキツボキーのインキ供給量調整前の基準の開き量の履歴データθ１sp1 〜θｎsp1 ，・・・・，θ１spM 〜θｎspM  の平均値θ１spav〜θｎspavについて、それぞれ絵柄面積率とインキツボキーの開き量との関係を示す近似曲線を計算し、プロットする（ステップ１１６）。
【００４４】
図４にプロットした近似曲線を例示する。同図に示す曲線Ｉは、今回のインキ供給量調整前のインキツボキーの基準の開き量θ１sp〜θｎspと絵柄面積率との関係を示す近似曲線、曲線IIは今回のインキ供給量調整後のインキツボキーの開き量θ１’〜θｎ’と絵柄面積率との関係を示す近似曲線、曲線III は過去のインキ供給量調整後のインキツボキーの開き量の平均値θ１'av〜θｎ'avと絵柄面積率との関係を示す近似曲線、曲線IVは過去のインキ供給量調整前の基準の開き量の平均値θ１spav〜θｎspavと絵柄面積率との関係を示す近似曲線である。
【００４５】
次に、ＣＰＵ９−１は、この近似曲線Ｉ〜IVを求めた後、１ステップ（単位絵柄面積率）毎に 今回のインキツボキーのインキ供給量調整後の開き量とインキ供給量調整前のインキツボキーの基準の開き量との差ΔθＸｉと、過去のインキツボキーのインキ供給量調整後の開き量の平均値とインキ供給量調整前の基準の開き量との差ΔθＹｉとを計算する（ステップ１１７）。
【００４６】
そして、図４において横軸にとった絵柄面積率を第１，第２，第３，第４の範囲Ｓ１，Ｓ２，Ｓ３，Ｓ４に分割し、すなわち閾値Ｓｔｈ１，Ｓｔｈ２，Ｓｔｈ３（Ｓｔｈ１＜Ｓｔｈ２＜Ｓｔｈ３）を定め、０〜Ｓｔｈ１までの第１の範囲（最小の範囲）Ｓ１と、Ｓｔｈ１〜Ｓｔｈ２までの第２の範囲（２番目に小さい範囲）と、Ｓｔｈ２〜Ｓｔｈ３までの第３の範囲（３番目に小さい範囲）と、Ｓｔｈ３を上回る第４の範囲（４番目に小さい範囲）とに分割し、第１の範囲Ｓ１におけるΔθＸｉ，ΔθＹｉの平均値ΔθＸ１，ΔθＹ１、第２の範囲Ｓ２におけるΔθＸｉ，ΔθＹｉの平均値ΔθＸ２，ΔθＹ２、第３の範囲Ｓ３におけるΔθＸｉ，ΔθＹｉの平均値ΔθＸ３，ΔθＹ３、第４の範囲Ｓ４におけるΔθＸｉ，ΔθＹｉの平均値ΔθＸ４，ΔθＹ４を算出する（ステップ１１８）。なお、ここで求められる例えば範囲Ｓ１のΔθＹｉの平均値ΔθＹ１は、範囲Ｓ１に属する過去のインキツボキーのインキ供給量調整後の開き量とインキ供給量調整前の基準の開き量との差の平均値の平均値を求めていることに他ならない。
【００４７】
ここで、最小の範囲である第１の範囲Ｓ１は、インキツボローラの送り量の変化には鈍感であるが、インキツボキーの微小な開き量の変化にも影響を受ける範囲である。図５（ｂ）にインキツボキーの開き量を微小に変更したときの濃度影響度を示す。図５（ｃ）にインキツボローラの送り量を変更したときの濃度影響度を示す。２番目に小さい範囲である第２の範囲Ｓ２は、インキツボキーの微小な開き量の変化とインキツボローラの送り量の変化のどちらにも影響される。３番目に小さい範囲である第３の範囲Ｓ３は、インキツボキーの微小な開き量の変化に相対的に影響を受け難く、逆にインキツボローラの送り量の変化に相対的に大きく影響される、日常使用される範囲である。４番目に小さい範囲（最大の範囲）である第４の範囲Ｓ４は、第３の範囲Ｓ３と同様に、微小な開き量の変化に相対的に影響を受け難く、逆にインキツボローラの送り量の変化に相対的に大きく影響される。但し、絵柄が大きすぎて、日常それほど使用されることはない。
【００４８】
ＣＰＵ９−１は、次のようにして、インキツボキーの開き量の補正量Δθspnew を第１の範囲Ｓ１におけるΔθＸｉ，ΔθＹｉの平均値ΔθＸ１，ΔθＹ１から学習する。先ず、ＣＰＵ９−１は、ΔθＸ１とΔθＹ１のプラス／マイナスの方向が一致しているか否かをチェックする（図６に示すステップ１１９）。このとき、ΔθＸ１とΔθＹ１の何れか一方が０であった場合、両者のプラス／マイナスの方向は同方向であると判断する。
【００４９】
ΔθＸ１とΔθＹ１の方向が同方向であった場合（ステップ１１９のＹＥＳ）、ＣＰＵ９−１は、メモリ９−５から係数ＫＢ１を読み出し（ステップ１２０）、この係数ＫＢ１をΔθＸ１に掛けて、インキツボキーの開き量の補正量Δθsp（Δθsp＝ΔθＸ１×ＫＢ１）を求める（ステップ１２１）。
【００５０】
ΔθＸ１とΔθＹ１の方向が異方向であった場合（ステップ１１９のＮＯ）、ＣＰＵ９−１は、メモリ９−５から係数ＫＢ２（ＫＢ１＞ＫＢ２）を読み出し（ステップ１２２）、この係数ＫＢ２をΔθＸ１に掛けて、インキツボキーの開き量の補正量Δθsp（Δθsp＝ΔθＸ１×ＫＢ２）を求める（ステップ１２３）。
【００５１】
そして、ステップ１２１あるいはステップ１２３で求めたインキツボキーの開き量の補正量Δθspを、メモリ９−５に格納されている現在のインキツボキーの開き量の補正量Δθspnew に加え、すなわち前回の学習で求められたインキツボキーの開き量の補正量Δθspnew に加え、次回のインキツボキーの開き量の補正量Δθspnew （Δθspnew （次回値）＝Δθspnew （前回値）＋Δθsp）とする（ステップ１２４）。
【００５２】
このインキツボキーの開き量の補正量Δθspの学習では、ΔθＸ１とΔθＹ１の方向が異方向であった場合、すなわちインキツボキーの開き量の調整が以前の傾向と反するときは、係数ＫＢ１よりも小さい係数ＫＢ２が使用され、補正の度合いが少なくされる。また、ΔθＸ１に１以下の係数ＫＢ１やＫＢ２を掛けることによって、設定が一気に大きく変化することがなくなる。
【００５３】
〔インキツボキーの開き量の変化からのインキツボローラの送り量の補正量（第２の補正量）の学習〕
次に、ＣＰＵ９−１は、インキツボキーの開き量の変化からインキツボローラの送り量の第２の補正量ΔＮＳsp2 を学習する。このインキツボローラの送り量の第２の補正量ΔＮＳsp2 は、第３の範囲Ｓ３におけるΔθＸｉの平均値ΔθＸ３から、次のようにして学習する。
【００５４】
先ず、ＣＰＵ９−１は、ΔＮＳ’とΔθＸ３のプラス／マイナスの方向が一致しているか否かをチェックする（図７に示すステップ１２５）。このとき、ΔＮＳ’とΔθＸ３の何れか一方が０であった場合、両者のプラス／マイナスの方向は同方向であると判断する。
【００５５】
ΔＮＳ’とΔθＸ３の方向が同方向であった場合（ステップ１２５のＹＥＳ）、ＣＰＵ９−１は、ΔθＹ３とΔθＸ３のプラス／マイナスの方向が一致しているか否かをチェックする（ステップ１２６）。このとき、ΔθＹ３とΔθＸ３の何れか一方が０であった場合、両者のプラス／マイナスの方向は同方向であると判断する。
【００５６】
ΔθＹ３とΔθＸ３の方向が同方向であった場合（ステップ１２６のＹＥＳ）、ＣＰＵ９−１は、メモリ９−５から係数ＫＡ３を読み出し（ステップ１２７）、この係数ＫＡ３をΔθＸ３に掛けて、インキツボローラの送り量の第２の補正量ΔＮＳsp2 （ΔＮＳsp2 ＝ΔθＸ３×ＫＡ３）を求める（ステップ１２８）。
【００５７】
ΔθＹ３とΔθＸ３の方向が異方向であった場合（ステップ１２６のＮＯ）、ＣＰＵ９−１は、メモリ９−５から係数ＫＡ４（ＫＡ３＞ＫＡ４）を読み出し（ステップ１３０）、この係数ＫＡ４をΔθＸ３に掛けて、インキツボローラの送り量の第２の補正量ΔＮＳsp2 （ΔＮＳsp2 ＝ΔθＸ３×ＫＡ４）を求める（ステップ１３１）。
【００５８】
そして、ステップ１２８あるいはステップ１３１で求めたインキツボローラの送り量の第２の補正量ΔＮＳsp2 を、メモリ９−５に格納されている現在のインキツボローラの送り量の補正量ΔＮＳspnew に加え、すなわち第１の補正量ΔＮＳsp1 が求められている場合にはΔＮＳsp1 が加えられたΔＮＳspnew に第２の補正量ΔＮＳsp2 を加え、次回のインキツボローラの送り量の補正量ΔＮＳspnew （ΔＮＳspnew （次回値）＝ΔＮＳspnew （現在値）＋ΔＮＳsp2 ）とする（ステップ１３２）。
【００５９】
なお、ステップ１２５において、ΔＮＳ’とΔθＸ３の方向が異方向であった場合（ステップ１２５のＮＯ）、ＣＰＵ９−１は、ΔθＸ３の絶対値とΔＮＳ’の絶対値との差が予め定められた閾値αｔｈを超えているか否かをチェックし（ステップ１２９）、ΔθＸ３の絶対値とΔＮＳ’の絶対値との差がαｔｈを超えていれば（ステップ１２９のＹＥＳ）、ステップ１２６でΔθＹ３とΔθＸ３の方向が異方向であった場合と同様にして、メモリ９−５から係数ＫＡ４を読み出し（ステップ１３０）、この係数ＫＡ４をΔθＸ３に掛けて、インキツボローラの送り量の第２の補正量ΔＮＳsp2 （ΔＮＳsp2 ＝ΔθＸ３×ＫＡ４）を求める（ステップ１３１）。
【００６０】
このインキツボローラの送り量の第２の補正量ΔＮＳsp2 の学習では、ΔＮＳ' とΔθＸ３の方向が異方向であり、ΔＸθ３の絶対値とΔＮＳ’の絶対値との差が大きい場合、すなわちインキツボローラの送り量の調整方向と第３の範囲Ｓ３におけるインキツボキーの開き量の調整方向とが反し、送り量よりも開き量による調整の影響が大きい場合には、、係数ＫＡ３よりも小さい係数ＫＡ４が使用され、補正の度合いが少なくされる。
【００６１】
また、このインキツボローラの送り量の第２の補正量ΔＮＳsp2 の学習では、ΔＮＳ' とΔθＸ３の方向が同方向であり、ΔθＹ３とΔθＸの方向が異方向である場合、すなわちインキツボローラの送り量の調整方向と第３の範囲Ｓ３におけるインキツボキーの開き量の調整方向とは反してはいないが、第３の範囲Ｓ３におけるインキツボキーの開き量の調整方向が以前の傾向と反するときは、係数ＫＡ３よりも小さい係数ＫＡ４が使用され、補正の度合いが少なくされる。
【００６２】
〔インキツボキーの開き量の変化からのインキツボローラの送り量の補正量（第３の補正量）の学習〕
次に、ＣＰＵ９−１は、インキツボキーの開き量の変化からインキツボローラの送り量の第３の補正量ΔＮＳsp3 を学習する。このインキツボローラの送り量の第３の補正量ΔＮＳsp3 は、第２の範囲Ｓ２におけるΔθＸｉの平均値ΔθＸ２から、次のようにして学習する。
【００６３】
先ず、ＣＰＵ９−１は、第２の範囲Ｓ２以降に絵柄があるか否か、すなわち第３の範囲Ｓ３および第４の範囲Ｓ４の何れにも絵柄がなく、第１の範囲Ｓ１や第２の範囲Ｓ２にしか絵柄がないかどうかをチェックする。第１の範囲Ｓ１や第２の範囲Ｓ２にしか絵柄がない場合（図８に示すステップ１３３）、すなわち第２の範囲Ｓ２よりも大きな絵柄面積率に対応するインキツボキーがない場合、インキツボキーの開き量の補正量Δθspnew が学習されているか否かをチェックする（ステップ１３４）。
【００６４】
ここで、インキツボキーの開き量の補正量Δθspnew が学習されていれば（ステップ１３４のＹＥＳ）、ΔθＸ１とΔθＸ２のプラス／マイナスの方向が一致しているか否かをチェックし（ステップ１３５）、ΔθＸ１とΔθＸ２の方向が異方向であれば（ステップ１３５のＮＯ）、メモリ９−５から係数ＫＡ５を読み出し（ステップ１３６）、この係数ＫＡ５をΔθＸ２に掛けて、インキツボローラの送り量の第３の補正量ΔＮＳsp3 （ΔＮＳsp3 ＝ΔθＸ２×ＫＡ５）を求める（ステップ１３７）。
【００６５】
そして、この求めたインキツボローラの送り量の第３の補正量ΔＮＳsp3 を、メモリ９−５に格納されている現在のインキツボローラの送り量の補正量ΔＮＳspnew に加え、すなわち第１の補正量ΔＮＳsp1 や第２の補正量ΔＮＳsp2 が求められている場合にはΔＮＳsp1 やΔＮＳsp2 が加えられたΔＮＳspnew に第３の補正量ΔＮＳsp3 を加え、次回のインキツボローラの送り量の補正量ΔＮＳspnew （ΔＮＳspnew （次回値）＝ΔＮＳspnew （現在値）＋ΔＮＳsp2 ）とする（ステップ１３８）。
【００６６】
すなわち、絵柄面積率が２番目に小さい第２の範囲Ｓ２では、インキツボキーの開き量とインキツボローラの送り量の両方の影響を受け、どちらの要素が原因で色調が変化したのか判断するのが難しい。このため、通常は、第２の範囲Ｓ２をメインとしたインキツボローラの送り量の補正量の学習は行わない。本実施の形態では、第１の範囲Ｓ１に属するインキツボキーと第２の範囲Ｓ２に属するインキツボキーとの調整方向が反し、かつ第２の範囲Ｓ２以降に属するインキツボキーがない場合にのみ、インキツボローラの送り量の影響を受けるものと判断し、インキツボローラの送り量の第３の補正量ΔＮＳsp3 を学習する。なお、第４の範囲Ｓ４は、第１の範囲Ｓ１〜Ｓ３に比べて使用される頻度が低いため、学習の代表値には不適と判断し、この部分のみインキツボキーの開度の調整が行われても学習は行わない。
【００６７】
〔実施の形態２〕
図９は上述した実施の形態１をさらに具体化したインキ供給量制御装置のブロック図である。このインキ供給量制御装置１３は、ＣＰＵ１３Ａ、ＲＡＭ１３Ｂ、ＲＯＭ１３Ｃ、入力装置１３Ｄ、表示器１３Ｅ、出力装置１３Ｆ、印刷検出器１３Ｇ、印刷枚数カウンタ１３Ｈ、メモリ１３Ｉ、入出力インターフェイス（Ｉ／Ｏ，Ｉ／Ｆ）１３Ｊ〜１３Ｌを備えている。
【００６８】
ＣＰＵ１３Ａは、インターフェイス１３Ｊ〜１３Ｌを介して与えられる各種入力情報を得て、ＲＡＭ１３Ｂやメモリ１３Ｉにアクセスしながら、ＲＯＭ１３Ｃに格納されたプログラムに従って動作する。入力装置１３Ｄには、学習ボタンＢＴ１、各色のインキツボローラの送り量調整ボタンＢＴ２、各色のインキツボキーの開き量調整ボタンＢＴ３、学習制御モードスイッチＳＷ１などが設けられている。
【００６９】
なお、図９において、１４（１４−１〜１４−ｎ）は、図５６に示した各色のインキツボキー４（４−１〜４−ｎ）に対応して各個に設けられたインキツボキー制御装置である。これらインキツボキー制御装置１４−１〜１４−ｎによって、インキツボキー４−１〜４−ｎのインキツボローラ３に対する開き量が各個に調整される。
【００７０】
インキツボキー制御装置１４は、図１４に示すように、インキツボキー駆動用モータドライバ１４Ａと、インキツボキー駆動用モータ１４Ｂと、ロータリーエンコーダ１４Ｃと、カウンタ１４Ｄと、ＣＰＵ１４Ｅと、ＲＯＭ１４Ｆと、ＲＡＭ１４Ｇと、メモリ１４Ｈ〜１４Ｋと、インターフェース（Ｉ／Ｏ，Ｉ／Ｆ）１４Ｌ，１４Ｍとを備えており、インターフェイス１４Ｌを介してインキ供給量制御装置１３と接続されている。ロータリーエンコーダ１４Ｃは、インキツボキー駆動用モータ１４Ｂの所定回転数（角度）毎に回転パルスを発生してカウンタ１４Ｄに出力する。
【００７１】
また、図９において、１５（１５−１〜１５−ｍ）は、図５６に示した各色のインキツボローラ３に対応して各個に設けられたインキツボローラ制御装置である。これらインキツボローラ制御装置１５−１〜１５−ｍによって、各色のインキツボローラ３の送り量が各個に調整される。
【００７２】
インキツボローラ制御装置１５は、図１５に示すように、インキツボローラ駆動用モータドライバ１５Ａと、インキツボローラ駆動用モータ１５Ｂと、ロータリーエンコーダ１５Ｃと、Ｆ／Ｖ変換器１５Ｄと、Ａ／Ｄ変換器１５Ｅと、ＣＰＵ１５Ｆと、ＲＯＭ１５Ｇと、ＲＡＭ１５Ｈと、メモリ１５Ｉ，１５Ｊと、インターフェース（Ｉ／Ｏ，Ｉ／Ｆ）１５Ｋ，１５Ｌとを備えており、インターフェイス１５Ｋを介してインキ供給量制御装置１３と接続されている。ロータリーエンコーダ１５Ｃは、インキツボローラ駆動用モータ１５Ｂの所定回転数（角度）毎に回転パルスを発生してＦ／Ｖ変換器１５Ｄへ送る。Ｆ／Ｖ変換器１５Ｄは、ロータリーエンコーダ１５Ｃからの回転パルスの周波数を電圧に変換し、Ａ／Ｄ変換器１５Ｅへ出力する。
【００７３】
図１０〜図１３にインキ供給量制御装置１３におけるメモリ１３Ｉの内容を分割して示す。メモリ１３ＩにはメモリＭ１〜Ｍ７３が設けられる。メモリＭ１には、各色のインキツボローラの送り量の補正量ΔＮＳspnew が記憶される。メモリＭ２には、各色のインキツボキーの開き量の補正量Δθspnew が記憶される。メモリＭ３には、過去の各色のインキツボローラのインキ供給量調整後の送り量とインキ供給量調整前の基準の送り量との差が記憶される。メモリＭ４には、メモリＭ３に記憶された過去の各色のインキツボローラのインキ供給量調整後の送り量とインキ供給量調整前の基準の送り量との差の数が記憶される。
【００７４】
メモリＭ５には、過去の各色の第１の範囲Ｓ１（図４参照）のインキツボキーのインキ供給量調整後の開き量とインキ供給量調整前の基準の開き量との差の平均値が記憶される。メモリＭ６には、メモリＭ５に記憶された過去の各色の第１の範囲Ｓ１のインキツボキーのインキ供給量調整後の開き量とインキ供給量調整前の基準の開き量との差の平均値の数が記憶される。メモリＭ７には過去の各色の第２の範囲Ｓ２のインキツボキーのインキ供給量調整後の開き量とインキ供給量調整前の基準の開き量との差の平均値が記憶される。メモリＭ８には、メモリＭ７に記憶された過去の各色の第２の範囲Ｓ２のインキツボキーのインキ供給量調整後の開き量とインキ供給量調整前の基準の開き量との差の平均値の数が記憶される。メモリＭ９には過去の各色の第３の範囲Ｓ３のインキツボキーのインキ供給量調整後の開き量とインキ供給量調整前の基準の開き量との差の平均値が記憶される。メモリＭ１０には、メモリＭ９に記憶された過去の各色の第３の範囲Ｓ３のインキツボキーのインキ供給量調整後の開き量とインキ供給量調整前の基準の開き量との差の平均値の数が記憶される。メモリＭ１１には過去の各色の第４の範囲Ｓ４のインキツボキーのインキ供給量調整後の開き量とインキ供給量調整前の基準の開き量との差の平均値が記憶される。メモリＭ１２には、メモリＭ１１に記憶された過去の各色の第４の範囲Ｓ４のインキツボキーのインキ供給量調整後の開き量とインキ供給量調整前の基準の開き量との差の平均値の数が記憶される。
【００７５】
メモリＭ１３には、各色の各インキツボキーに対応するエリアの絵柄面積率が記憶される。メモリＭ１４には、絵柄面積率の平均値が記憶される。メモリＭ１５には、各色の絵柄面積率−インキツボローラの送り量変換テーブルが記憶される。メモリＭ１６には、各色の絵柄面積率−インキツボローラの送り量変換テーブルから求められる各色のインキツボローラの基準の送り量が記憶される。メモリＭ１７には、補正した各色のインキツボローラの基準の送り量（インキ供給量調整前の基準の送り量）ＮＳspが記憶される。メモリＭ１８には、インキツボローラ制御装置１５への各色のインキツボローラの送り量が記憶される。
【００７６】
メモリＭ１９には、各色の絵柄面積率−インキツボキーの開き量変換テーブルが記憶される。メモリＭ２０には、各色の絵柄面積率−インキツボキーの開き量変換テーブルから求められる各インキツボキーの基準の開き量が記憶される。メモリＭ２１には、補正した各インキツボキーの基準の開き量（インキ供給量調整前の基準の開き量）θ1sp〜θｎsp が記憶される。メモリＭ２２には、インキツボキー制御装置１４への各インキツボキーの開き量が記憶される。メモリＭ２３には、予め定められた安定枚数が記憶される。
【００７７】
メモリＭ２４には、今回の各色の第１の範囲Ｓ１のインキツボキーのインキ供給量調整後の開き量とインキ供給量調整前の基準の開き量との差が記憶される。メモリＭ２５には、今回の各色の第１の範囲Ｓ１のインキツボキーのインキ供給量調整後の開き量とインキ供給量調整前の基準の開き量との差の数が記憶される。メモリＭ２６には、今回の各色の第２の範囲Ｓ２のインキツボキーのインキ供給量調整後の開き量とインキ供給量調整前の基準の開き量との差が記憶される。メモリＭ２７には、今回の各色の第２の範囲Ｓ２のインキツボキーのインキ供給量調整後の開き量とインキ供給量調整前の基準の開き量との差の数が記憶される。メモリＭ２８には、今回の各色の第３の範囲Ｓ３のインキツボキーのインキ供給量調整後の開き量とインキ供給量調整前の基準の開き量との差が記憶される。メモリＭ２９には、今回の各色の第３の範囲Ｓ３のインキツボキーのインキ供給量調整後の開き量とインキ供給量調整前の基準の開き量との差の数が記憶される。メモリＭ３０には、今回の各色の第４の範囲Ｓ４のインキツボキーのインキ供給量調整後の開き量とインキ供給量調整前の基準の開き量との差が記憶される。メモリＭ３１には、今回の各色の第４の範囲Ｓ４のインキツボキーのインキ供給量調整後の開き量とインキ供給量調整前の基準の開き量との差の数が記憶される。
【００７８】
メモリＭ３２には、インキツボキーの開き量の補正量の学習が行われたか否かの情報が各色毎に記憶される。メモリＭ３３には、各色のインキツボローラの現在の送り量が記憶される。メモリＭ３４には、各インキツボキーの現在の開き量が記憶される。メモリＭ３５には、過去の各色のインキツボローラのインキ供給量調整後の送り量とインキ供給量調整前の基準の送り量との差の合計値が記憶される。メモリＭ３６には、過去の各色のインキツボローラのインキ供給量調整後の送り量とインキ供給量調整前の基準の送り量との差の平均値ΔＮＳ'av が記憶される。メモリＭ３７には、今回の各色のインキツボローラのインキ供給量調整後の送り量とインキ供給量調整前の基準の送り量との差ΔＮＳ’が記憶される。
【００７９】
メモリＭ３８には、各色のインキツボローラの送り量の第１の補正係数ＫＡ１が記憶される。メモリＭ３９には、各色のインキツボローラの送り量の第２の補正係数ＫＡ２が記憶される。メモリＭ４０には、今回の各色のインキツボローラの送り量の第１の補正量ΔＮＳsp1 が記憶される。メモリＭ４１には、各色のインキツボローラの送り量の補正量の上限値ΔＮＳupが記憶される。メモリＭ４２には、各色のインキツボローラの送り量の補正量の下限値ΔＮＳdwが記憶される。メモリＭ４３には、補正した各色のインキツボローラの送り量の補正量が記憶される。メモリＭ４４には、各色の第１の範囲判断用の絵柄面積率が記憶される。メモリＭ４５には、各色の第２の範囲判断用の絵柄面積率が記憶される。メモリＭ４６には、各色の第３の範囲判断用の絵柄面積率が記憶される。
【００８０】
メモリＭ４７には、今回の各インキツボキーのインキ供給量調整後の開き量とインキ供給量調整前の基準の開き量との差が記憶される。メモリＭ４８には、今回の各色の第１の範囲Ｓ１のインキツボキーのインキ供給量調整後の開き量とインキ供給量調整前の基準の開き量との差の合計値が記憶される。メモリＭ４９には、今回の各色の第１の範囲Ｓ１のインキツボキーのインキ供給量調整後の開き量とインキ供給量調整前の基準の開き量との差の平均値ΔθＸ１が記憶される。メモリＭ５０には、今回の各色の第２の範囲Ｓ２のインキツボキーのインキ供給量調整後の開き量とインキ供給量調整前の基準の開き量との差の合計値が記憶される。メモリＭ５１には、今回の各色の第２の範囲Ｓ２のインキツボキーのインキ供給量調整後の開き量とインキ供給量調整前の基準の開き量との差の平均値ΔθＸ２が記憶される。
【００８１】
メモリＭ５２には、今回の各色の第３の範囲Ｓ３のインキツボキーのインキ供給量調整後の開き量とインキ供給量調整前の基準の開き量との差の合計値が記憶される。メモリＭ５３には、今回の各色の第３の範囲Ｓ３のインキツボキーのインキ供給量調整後の開き量とインキ供給量調整前の基準の開き量との差の平均値ΔθＸ３が記憶される。メモリＭ５４には、今回の各色の第４の範囲Ｓ４のインキツボキーのインキ供給量調整後の開き量とインキ供給量調整前の基準の開き量との差の合計値が記憶される。メモリＭ５５には、今回の各色の第４の範囲Ｓ４のインキツボキーのインキ供給量調整後の開き量とインキ供給量調整前の基準の開き量との差の平均値ΔθＸ４が記憶される。
【００８２】
メモリＭ５６には、過去の各色の第１の範囲Ｓ１のインキツボキーのインキ供給量調整後の開き量とインキ供給量調整前の基準の開き量との差の平均値の平均値ΔθＹ１が記憶される。メモリＭ５７には、過去の各色の第２の範囲Ｓ２のインキツボキーのインキ供給量調整後の開き量とインキ供給量調整前の基準の開き量との差の平均値の平均値ΔθＹ２が記憶される。メモリＭ５８には、過去の各色の第３の範囲Ｓ３のインキツボキーのインキ供給量調整後の開き量とインキ供給量調整前の基準の開き量との差の平均値の平均値ΔθＹ３が記憶される。メモリＭ５９には、過去の各色の第４の範囲Ｓ４のインキツボキーのインキ供給量調整後の開き量とインキ供給量調整前の基準の開き量との差の平均値の平均値ΔθＹ４が記憶される。
【００８３】
メモリＭ６０には、各色のインキツボキーの開き量の第１の補正係数ＫＢ１が記憶される。メモリＭ６１には、各色のインキツボキーの開き量の第２の補正係数ＫＢ２が記憶される。メモリＭ６２には、今回の各色のインキツボキーの開き量の補正量Δθspが記憶される。メモリＭ６３には、補正した各色のインキツボキーの開き量の補正量が記憶される。メモリＭ６４には、今回の各色のインキツボローラのインキ供給量調整後の送り量とインキ供給量調整前の基準の送り量との差ΔＮＳ’の絶対値が記憶される。メモリＭ６５には、今回の各色の第３の範囲Ｓ３のインキツボキーのインキ供給量調整後の開き量とインキ供給量調整前の基準の開き量との差の平均値ΔθＸ３の絶対値が記憶される。メモリＭ６６には、ΔθＸ３の絶対値とΔＮＳ’の絶対値との差が記憶される。
【００８４】
メモリＭ６７には、各色のインキツボローラの送り量の修正の要否を判断するための基準値（要否判断基準値）αｔｈが記憶される。メモリＭ６８には、各色のインキツボローラの送り量の第３の補正係数ＫＡ３が記憶される。メモリＭ６９には、各色のインキツボローラの送り量の第４の補正係数ＫＡ４が記憶される。メモリＭ７０には、今回の各色のインキツボローラの送り量の第２の補正量ΔＮＳsp2 が記憶される。メモリＭ７１には、各色のインキツボローラの送り量の第５の補正係数ＫＡ５が記憶される。メモリＭ７２には、今回の各色のインキツボローラの送り量の第３の補正量ΔＮＳsp3 が記憶される。メモリＭ７３には、過去のインキ供給量調整後のインキ供給量とインキ供給量調整前の基準のインキ供給量との差（履歴データ）の記憶数の上限値が記憶される。
【００８５】
〔インキツボローラの送り量の補正量およびインキツボキーの開き量の補正量の学習〕
今、前提条件として、過去にもこれから説明すると同様のインキツボローラの送り量の補正量およびインキツボキーの開き量の補正量の学習が行われており、その学習結果として、メモリＭ１に次回のインキツボローラの送り量の補正量ΔＮＳspnew が、メモリＭ２に各色毎の全インキツボキー（以下、全インキツボキーと記載）に共通の次回のインキツボキーの開き量の補正量Δθspnew が格納されているものとする。
【００８６】
また、過去の補正量の学習毎に、その時に使用したインキツボローラのインキ供給量調整後の送り量とインキ供給量調整前の基準の送り量との差がメモリＭ３に、その差の数がメモリＭ４に格納されているものとする。また、過去の補正量の学習毎に、その時に使用した各色の範囲Ｓ１，Ｓ２，Ｓ３，Ｓ４のインキツボキーのインキ供給量調整後の開き量とインキ供給量調整前の基準の開き量との差の平均値がメモリＭ５，Ｍ７，Ｍ９，Ｍ１１に、その平均値の数がメモリＭ６，Ｍ８，Ｍ１０，Ｍ１２に格納されているものとする。
【００８７】
今、図５６において、刷版７を装着し、インキツボローラ３の送り量およびインキツボキー４−１〜４−ｎの開き量をプリセットするものとする。この場合、インキ供給量制御装置１３のＣＰＵ１３Ａは、上述した前提条件により、図１６に示したステップ２１３から処理を始める。なお、ステップ２０１〜２１２は、メモリＭ１〜Ｍ１２を初期化して、その内容を「０」とする処理であり、初期の補正量の学習時にのみ実行される。
【００８８】
ＣＰＵ１３Ａは、ステップ２１３において、オペレータより入力される刷版７の各色の各インキツボキーに対応する範囲の絵柄面積率をメモリＭ１３に記憶する。この例では、出力装置１３Ｆに、各色の各インキツボキーに対応するエリアの絵柄面積率が書き込まれたフレキシブルディスクをセットする。ＣＰＵ１３Ａは、この出力装置１３Ｆにセットされたフレキシブルディスクから各色の各インキツボキーに対応するエリアの絵柄面積率を読み出し、メモリＭ１３に格納する。
【００８９】
なお、この実施の形態において、刷版の各範囲毎の絵柄面積率の測定には、本出願人による特許文献３や特許文献４に示されているような「絵柄面積率測定装置」を用いており、この「絵柄面積率測定装置」を用いて測定した絵柄面積率をフレキシブルディスクに書き込み、この絵柄面積率が書き込まれたフレキシブルディスクを出力装置１３Ｆにセットしている。なお、ＣＰＵ１３Ａと「絵柄面積率測定装置」とをオンラインで結び、「絵柄面積率測定装置」から直接、刷版の各範囲毎の絵柄面積率を取り込むようにしてもよい。
【００９０】
ＣＰＵ１３Ａは、メモリＭ１３に格納した各色の各インキツボキーに対応するエリアの絵柄面積率より、各色の絵柄面積率の平均値を求め、メモリＭ１４に格納する（ステップ２１４）。そして、メモリＭ１５中の各色の絵柄面積率の平均値−インキツボローラ送り量変換テーブルを用いて、各色の絵柄面積率の平均値より、各色のインキツボローラの基準の送り量（補正前の基準の送り量）を求め、メモリＭ１６に格納する（ステップ２１５）。
【００９１】
そして、メモリＭ１より各色のインキツボローラの送り量の補正量ΔＮＳspnew （前回の学習により得られている補正量）を読み出し（ステップ２１６）、この読み出した各色のインキツボローラの送り量の補正量ΔＮＳspnew をステップ２１５で求めた各色のインキツボローラの基準の送り量に加算し、これを各色のインキツボローラのインキ供給量調整前の基準の送り量ＮspとしてメモリＭ１７に格納する（ステップ２１７）。また、この各色のインキツボローラのインキ供給量調整前の基準の送り量ＮspをメモリＭ１８にセットし（ステップ２１８）、各色のインキツボローラ制御装置１５に送信する（ステップ２１９）。
【００９２】
各色のインキツボローラ制御装置１５（図１５）のＣＰＵ１５Ｆは、インキ供給量制御装置１３からインキツボローラの基準の送り量Ｎspを受信すると（図４６に示すステップ７０１のＹＥＳ）、その受信したインキツボローラの基準の送り量Ｎspをメモリ１５Ｉに格納する（ステップ７０２）。また、その受信したインキツボローラの基準の送り量Ｎspを目標送り量としてメモリ１５Ｊに書き込む（ステップ７０３）。そして、メモリ１５Ｊから目標送り量を読み出し（ステップ７０４）、インキツボローラ駆動用モータドライバ１５Ａへ送り、インキツボローラ駆動用モータ１５Ｂの送り量を目標送り量（基準の送り量Ｎsp）に合わせ込む（ステップ７０５）。
【００９３】
インキ供給量制御装置１３のＣＰＵ１３Ａは、ステップ２１９での各色のインキツボローラ制御装置１５への基準の送り量Ｎspの送信後、メモリＭ１９中の絵柄面積率−インキツボキーの開き量変換テーブルを用いて、各インキツボキーに対応する範囲の絵柄面積率より、各インキツボキーの基準の開き量（補正前の基準の開き量）を求め、メモリＭ２０に格納する（ステップ２２０）。
【００９４】
そして、メモリＭ２より各色のインキツボキーの開き量の補正量Δθspnew （前回の学習により得られている補正量）を読み出し（ステップ２２１）、この読み出した各色のインキツボキーの開き量の補正量Δθspnew をステップ２２０で求めた各色のインキツボキーの基準の開き量に加算し、これを各色のインキツボキーのインキ供給量調整前の基準の開き量θ１sp〜θｎspとしてメモリＭ２１に格納する（ステップ２２２）。また、この各色のインキツボキーのインキ供給量調整前の基準の開き量θ１sp〜θｎspをメモリＭ２２にセットし（ステップ２２３）、各色のインキツボキー制御装置１４に送信する（ステップ２２４）。
【００９５】
各色のインキツボキー制御装置１４（図１４）のＣＰＵ１４Ｅは、インキ供給量制御装置１３からインキツボキーの開き量を受信すると（図４７に示すステップ８０１のＹＥＳ）、その受信した開き量をメモリ１４Ｈに格納するとともに（ステップ８０２）、その受信した開き量を目標とする開き量としてメモリ１４Ｉに書き込む（ステップ８０３）。そして、カウンタ１４Ｄのカウント値を読み取り（ステップ８０４）、この読み取ったカウンタ１４Ｄのカウント値より現在のインキツボキーの開き量を求め（ステップ８０５）、現在のインキツボキーの開き量が目標とする開き量と同じであれば（ステップ８０６のＹＥＳ）、直ちにステップ８１４へ進み、インキ供給量制御装置１３へインキツボキーの開き量の修正完了信号を出力する。
【００９６】
現在のインキツボキーの開き量が目標とする開き量と同じでない場合には（ステップ８０６のＮＯ）、現在のインキツボキーの開き量が目標とする開き量（修正された開き量）と同じになるまでインキツボキー駆動用モータ１４Ｂを駆動した後（ステップ８０７〜８１３）、インキ供給量制御装置１３へインキツボキーの開き量の修正完了信号を出力する（ステップ８１４）。
【００９７】
インキ供給量制御装置１３のＣＰＵ１３Ａは、全てのインキツボキー制御装置１４からインキツボキーの開き量の修正完了信号を受けると（図１６に示すステップ２２５のＹＥＳ）、ステップ２２６（図１７）へ進む。ここまでの処理により、インキツボローラ３の送り量が基準の送り量ＮＳspにプリセットされ、各色のインキツボキー４−１〜４−ｎの開き量が基準の開き量θ１sp〜θｎspにプリセットされる。
【００９８】
オペレータは、このプリセット状態で、印刷を開始させる。そして、このプリセット状態で印刷された印刷物の色を見て、学習制御モードスイッチＳＷ１をオンとし、所望の色合いが得られるように、インキツボローラの送り量調整ボタンＢＴ２やインキツボキーの開き量調整ボタンＢＴ３を操作して、インキツボローラ３の送り量やインキツボキー４−１〜４−ｎの開き量を微調整し、印刷を再スタートする。
【００９９】
インキ供給量制御装置１３のＣＰＵ１３Ａは、学習制御モードスイッチＳＷ１がオンとされると（ステップ２２６のＹＥＳ）、印刷枚数カウンタ１３Ｈにリセット信号を送り、そのカウント値を零とする（ステップ２２７）。そして、インキツボローラの送り量調整ボタンＢＴ２やインキツボキーの開き量調整ボタンＢＴ３の操作に応じ（ステップ２２８のＹＥＳ）、各色のインキツボローラの送り量調整ボタンＢＴ２により調整された各色のインキツボローラの送り量をメモリＭ１８にセットし（ステップ２２９）、インキツボローラ制御装置１５に送信する（ステップ２３０）。また、各色の各インキツボキーの開き量調整ボタンＢＴ３より調整された各インキツボキーの開き量をメモリＭ２２にセットし（ステップ２３１）、各色の各インキツボキー制御装置１４に送信する（ステップ２３２）。そして、印刷枚数カウンタ１３Ｈに、リセット信号及びイネーブル信号を送り、そのカウント動作を開始させる（ステップ２３３）。
【０１００】
ＣＰＵ１３Ａは、印刷枚数カウンタ１３Ｈのカウント値を監視し、そのカウント値がメモリＭ２３に記憶されている安定枚数となれば（ステップ２３６のＹＥＳ）、印刷枚数カウンタ１３Ｈにイネーブル停止信号を送り、その動作を停止させる（ステップ２３７）。そして、表示器１３Ｅに、学習可能である旨を表示する（ステップ２３８）。
【０１０１】
学習ボタンＢＴ１がオンとされると（ステップ２３９のＹＥＳ）、ＣＰＵ１３Ａは、表示器１３Ｅにおける学習可能である旨の表示を消し（ステップ２４０）、メモリＭ２４〜Ｍ３１を初期化して「０」とする（ステップ２４１１）。また、インキツボキーの開き量の補正量学習の有無記憶用のメモリＭ３２の全範囲に「０」を書き込み、初期化する（ステップ２４２）。
【０１０２】
そして、メモリＭ１８より各色のインキツボローラの現在の送り量、すなわちインキ供給量調整後の各色のインキツボローラの送り量ＮＳ’を読み込み、メモリＭ３３に書き込む（ステップ２４３）。また、メモリＭ２２より各色の各インキツボキーの現在の開き量、すなわちインキ供給量調整後の各色の各インキツボキーの開き量θ１’〜θｎ’を読み込み、メモリＭ３４に書き込む（ステップ２４４）。
【０１０３】
〔インキツボローラの送り量の変化からのインキツボローラの送り量の補正量（第１の補正量）の学習〕
ＣＰＵ１３Ａは、メモリＭ３に記憶されている過去の各色のインキツボローラのインキ供給量調整後の送り量とインキ供給量調整前の基準の送り量との差より、過去の各色のインキツボローラのインキ供給量調整後の送り量とインキ供給量調整前の基準の送り量との差の合計値を求め、メモリＭ３５に書き込む（ステップ２４５）。
【０１０４】
そして、メモリＭ４より記憶された過去の各色のインキツボローラのインキ供給量調整後の送り量とインキ供給量調整前の基準の送り量との差の数を読み出し（ステップ２４６）、ステップ２４５で求めた合計値をステップ２４６で読み出した数で除すことにより、過去の各色のインキツボローラのインキ供給量調整後の送り量とインキ供給量調整前の基準の送り量との差の平均値ΔＮＳ'av を求め、メモリＭ３６に格納する（ステップ２４７）。
【０１０５】
また、メモリＭ３３より各色のインキツボローラの現在の送り量（インキ供給量調整後の送り量）ＮＳ’を読み込み（ステップ２４８）、またメモリＭ１７より各色のインキツボローラのインキ供給量調整前の基準の送り量ＮＳspを読み込み（ステップ２４９）、インキ供給量調整後の送り量ＮＳ’とインキ供給量調整前の基準の送り量ＮＳspとの差ΔＮＳ’を求め、メモリＭ３７に格納する（ステップ２５０）。
【０１０６】
そして、メモリＭ３７より今回の最初の色のインキツボローラのインキ供給量調整後の送り量とインキ供給量調整前の基準の送り量との差ΔＮＳ’を読み出し（図１８に示すステップ２５１）、またメモリＭ３６より過去の最初の色のインキツボローラのインキ供給量調整後の送り量とインキ供給量調整前の基準の送り量との差の平均値ΔＮＳ'av を読み出し（ステップ２５２）、ΔＮＳ’とΔＮＳ'av のプラス／マイナスの方向が一致しているか否かをチェックする（ステップ２５３）。このとき、ΔＮＳ’とΔＮＳ'av の何れか一方が０であった場合、両者のプラス／マイナスの方向は同方向であると判断する。
【０１０７】
ΔＮＳ’とΔＮＳ'av の方向が同方向であった場合（ステップ２５３のＹＥＳ）、ＣＰＵ１３Ａは、メモリＭ３８から最初の色のインキツボローラの送り量の第１の補正係数ＫＡ１を読み出し（ステップ２５４）、この補正係数ＫＡ１をステップ２５１で読み出したΔＮＳ’に掛けて、今回の最初の色のインキツボローラの送り量の第１の補正量ΔＮＳsp1 （ΔＮＳsp1 ＝ΔＮＳ’×ＫＡ１）を求め、メモリＭ４０に格納する（ステップ２５５）。
【０１０８】
ΔＮＳ’とΔＮＳ'av の方向が異方向であった場合（ステップ２５３のＮＯ）、ＣＰＵ１３Ａは、メモリＭ３９から最初の色のインキツボローラの送り量の第２の補正係数ＫＡ２（ＫＡ１＞ＫＡ２）を読み出し（ステップ２５６）、この補正係数ＫＡ２をステップ２５１で読み出したΔＮＳ’に掛けて、今回の最初の色のインキツボローラの送り量の第１の補正量ΔＮＳsp1 （ΔＮＳsp1 ＝ΔＮＳ’×ＫＡ２）を求め、メモリＭ４０に格納する（ステップ２５７）。
【０１０９】
そして、メモリＭ４１より最初の色のインキツボローラの送り量の補正量の上限値ΔＮＳupを読み込み（ステップ２５８）、上記により求めた今回の最初の色のインキツボローラの送り量の第１の補正量ΔＮＳsp1 が上限値ΔＮＳupよりも大きければ（ステップ２５９のＹＥＳ）、その第１の補正量ΔＮＳsp1 を上限値ΔＮＳupに書き替える（ステップ２６０）。
【０１１０】
また、メモリＭ４２より最初の色のインキツボローラの送り量の補正量の下限値ΔＮＳdwを読み込み（ステップ２６１）、上記により求めた今回の最初の色のインキツボローラの送り量の第１の補正量ΔＮＳsp1 が下限値ΔＮＳdwよりも小さければ（ステップ２６２のＹＥＳ）、その第１の補正量ΔＮＳsp1 を下限値ΔＮＳdwに書き替える（ステップ２６３）。
【０１１１】
そして、メモリＭ１より現在の最初の色のインキツボローラの送り量の補正量ΔＮＳspnew を読み出し（ステップ２６４）、この読み出した現在の最初の色のインキツボローラの送り量の補正量ΔＮＳspnew に今回の最初の色のインキツボローラの送り量の第１の補正量ΔＮＳsp1 を加え、補正した最初の色のインキツボローラの送り量の補正量としてメモリＭ４３に格納すると共に（ステップ２６５）、次回の最初の色のインキツボローラの送り量の補正量ΔＮＳspnew としてメモリＭ１に上書きする（ステップ２６６）。
【０１１２】
次に、ＣＰＵ１３Ａは、メモリＭ３７より今回の次の色のインキツボローラのインキ供給量調整後の送り量とインキ供給量調整前の基準の送り量との差ΔＮＳ’を読み出し（図１９に示すステップ２６８）、またメモリＭ３６より過去の次の色のインキツボローラのインキ供給量調整後の送り量とインキ供給量調整前の基準の送り量との差の平均値ΔＮＳ'av を読み出し（ステップ２６９）、ΔＮＳ’とΔＮＳ'av のプラス／マイナスの方向が一致しているか否かをチェックする（ステップ２７０）。そして、先のステップ２５４〜２６６に対応するステップ２７１〜２８３の処理を行うことにより、今回の次の色のインキツボローラの送り量の第１の補正量ΔＮＳsp1 を求め、この第１の補正量ΔＮＳsp1 を現在の次の色のインキツボローラの送り量の補正量ΔＮＳspnew に加え、これを次回の次の色のインキツボローラの送り量の補正量ΔＮＳspnew としてメモリＭ１に上書きする。
【０１１３】
ＣＰＵ１３Ａは、ステップ２６８〜２８４の処理を全ての色について繰り返し、全ての色について処理を完了すれば（ステップ２８４のＹＥＳ）、図２０に示すステップ２８５へ進む。
【０１１４】
〔インキツボキーの開き量の変化からのインキツボキーの開き量の補正量の学習〕
ステップ２８５において、ＣＰＵ１３Ａは、メモリＭ１３より最初の色の最初のインキツボキーに対応するエリアの絵柄面積率を読み出す。そして、メモリＭ４４より最初の色の第１の範囲判断用の絵柄面積率を読み出し（ステップ２８６）、最初の色の最初のインキツボキーに対応するエリアの絵柄面積率が最初の色の第１の範囲判断用の絵柄面積率よりも小さいか否かをチェックする（ステップ２８７）。
【０１１５】
最初の色の最初のインキツボキーに対応するエリアの絵柄面積率が最初の色の第１の範囲判断用の絵柄面積率よりも小さければ（ステップ２８７のＹＥＳ）、メモリＭ３４より最初の色の最初のインキツボキーの現在の開き量θ１’、すなわち最初の色の最初のインキツボキーのインキ供給量調整後の開き量θ１’を読み出す（ステップ２８８）。そして、メモリＭ２１より最初の色の最初のインキツボキーのインキ供給量調整前の基準の開き量θ１spを読み出し（ステップ２８９）、θ１’からθ１spを減算し、今回の最初の色の最初のインキツボキーのインキ供給量調整前の開き量とインキ供給量調整後の基準の開き量との差Δθ１’を求め、メモリＭ４７に格納する（ステップ２９０）。
【０１１６】
また、ステップ２９０で求めたΔθ１’を今回の最初の色の第１の範囲Ｓ１のインキツボキーのインキ供給量調整前の開き量とインキ供給量調整後の基準の開き量との差としてメモリＭ２４に格納し（ステップ２９１）、メモリＭ２５中の今回の最初の色の第１の範囲Ｓ１のインキツボキーのインキ供給量調整前の開き量とインキ供給量調整後の基準の開き量との差の数に１を加算する（ステップ２９２）。
【０１１７】
最初の色の最初のインキツボキーに対応するエリアの絵柄面積率が最初の色の第１の範囲判断用の絵柄面積率よりも大きければ（ステップ２８７のＮＯ）、メモリＭ４５より最初の色の第２の範囲判断用の絵柄面積率を読み出し（ステップ２９３）、最初の色の最初のインキツボキーに対応するエリアの絵柄面積率が最初の色の第２の範囲判断用の絵柄面積率よりも小さいか否かをチェックする（ステップ２９４）。
【０１１８】
最初の色の最初のインキツボキーに対応するエリアの絵柄面積率が最初の色の第２の範囲判断用の絵柄面積率よりも小さければ（ステップ２９４のＹＥＳ）、メモリＭ３４より最初の色の最初のインキツボキーのインキ供給量調整後の開き量θ１’を読み出す（ステップ２９５）。そして、メモリＭ２１より最初の色の最初のインキツボキーのインキ供給量調整前の基準の開き量θ１spを読み出し（ステップ２９６）、θ１’からθ１spを減算し、今回の最初の色の最初のインキツボキーのインキ供給量調整前の開き量とインキ供給量調整後の基準の開き量との差Δθ１’を求め、メモリＭ４７に格納する（ステップ２９７）。
【０１１９】
また、ステップ２９７で求めたΔθ１’を今回の最初の色の第２の範囲Ｓ２のインキツボキーのインキ供給量調整前の開き量とインキ供給量調整後の基準の開き量との差としてメモリＭ２６に格納し（ステップ２９８）、メモリＭ２７中の今回の最初の色の第２の範囲Ｓ２のインキツボキーのインキ供給量調整前の開き量とインキ供給量調整後の基準の開き量との差の数に１を加算する（ステップ２９９）。
【０１２０】
最初の色の最初のインキツボキーに対応するエリアの絵柄面積率が最初の色の第２の範囲判断用の絵柄面積率よりも大きければ（ステップ２９４のＮＯ）、メモリＭ４６より最初の色の第３の範囲判断用の絵柄面積率を読み出し（図２１に示すステップ３００）、最初の色の最初のインキツボキーに対応するエリアの絵柄面積率が最初の色の第３の範囲判断用の絵柄面積率よりも小さいか否かをチェックする（ステップ３０１）。
【０１２１】
最初の色の最初のインキツボキーに対応するエリアの絵柄面積率が最初の色の第３の範囲判断用の絵柄面積率よりも小さければ（ステップ３０１のＹＥＳ）、メモリＭ３４より最初の色の最初のインキツボキーのインキ供給量調整後の開き量θ１’を読み出す（ステップ３０２）。そして、メモリＭ２１より最初の色の最初のインキツボキーのインキ供給量調整前の基準の開き量θ１spを読み出し（ステップ３０３）、θ１’からθ１spを減算し、今回の最初の色の最初のインキツボキーのインキ供給量調整前の開き量とインキ供給量調整後の基準の開き量との差Δθ１’を求め、メモリＭ４７に格納する（ステップ３０４）。
【０１２２】
また、ステップ３０４で求めたΔθ１’を今回の最初の色の第３の範囲Ｓ３のインキツボキーのインキ供給量調整前の開き量とインキ供給量調整後の基準の開き量との差としてメモリＭ２８に格納し（ステップ３０５）、メモリＭ２９中の今回の最初の色の第３の範囲Ｓ３のインキツボキーのインキ供給量調整前の開き量とインキ供給量調整後の基準の開き量との差の数に１を加算する（ステップ３０６）。
【０１２３】
最初の色の最初のインキツボキーに対応するエリアの絵柄面積率が最初の色の第３の範囲判断用の絵柄面積率よりも大きければ（ステップ３０１のＮＯ）、メモリＭ３４より最初の色の最初のインキツボキーのインキ供給量調整後の開き量θ１’を読み出す（ステップ３０７）。そして、メモリＭ２１より最初の色の最初のインキツボキーのインキ供給量調整前の基準の開き量θ１spを読み出し（ステップ３０８）、θ１’からθ１spを減算し、今回の最初の色の最初のインキツボキーのインキ供給量調整前の開き量とインキ供給量調整後の基準の開き量との差Δθ１’を求め、メモリＭ４７に格納する（ステップ３０９）。
【０１２４】
また、ステップ３０９で求めたΔθ１’を今回の最初の色の第４の範囲Ｓ４のインキツボキーのインキ供給量調整前の開き量とインキ供給量調整後の基準の開き量との差としてメモリＭ３０に格納し（ステップ３１０）、メモリＭ３１中の今回の最初の色の第４の範囲Ｓ４のインキツボキーのインキ供給量調整前の開き量とインキ供給量調整後の基準の開き量との差の数に１を加算する（ステップ３１１）。
【０１２５】
次に、ＣＰＵ１３Ａは、メモリＭ１３より最初の色の次のインキツボキーに対応するエリアの絵柄面積率を読み出す（図２２に示すステップ３１２）。そして、先のステップ２８６〜３１１に対応するステップ３１３〜３３８の処理を行うことにより、今回の最初の色の次のインキツボキーのインキ供給量調整前の開き量とインキ供給量調整後の基準の開き量との差Δθ２’が第１の範囲判断用の絵柄面積率よりも小さければ、Δθ２’をメモリＭ２４に格納すると共にメモリＭ２５中の数に１を加算し、第１の範囲判断用の絵柄面積率よりも大きく第２の範囲判断用の絵柄面積率よりも小さければ、Δθ２’をメモリＭ２６に格納すると共にメモリＭ２７中の数に１を加算し、第２の範囲判断用の絵柄面積率よりも大きく第３の範囲判断用の絵柄面積率よりも小さければ、Δθ２’をメモリＭ２８に格納すると共にメモリＭ２９中の数に１を加算し、第３の範囲判断用の絵柄面積率よりも大きければ、Δθ２’をメモリＭ３０に格納すると共にメモリＭ３１中の数に１を加算する。
【０１２６】
ＣＰＵ１３Ａは、ステップ３１２〜３３９の処理を最初の色の全てのインキツボキーについて繰り返し、最初の色の全てのインキツボキーついて処理を完了すれば（ステップ３３９のＹＥＳ）、次の色の全てのインキツボキーについて同様の処理を繰り返す（図２４〜図２７：ステップ３４１〜３９５）。次の色の全てのインキツボキーについて処理を完了すれば（ステップ３９５のＹＥＳ）、ステップ３４１〜３９６の処理を全ての色について繰り返し、全ての色について処理を完了すれば（ステップ３９６のＹＥＳ）、図２８に示すステップ３９７へ進む。
【０１２７】
ステップ３９７において、ＣＰＵ１３Ａは、メモリＭ２４中の今回の各色の第１の範囲Ｓ１のインキツボキーのインキ供給量調整後の開き量とインキ供給量調整前の基準の開き量との差より、今回の各色の第１の範囲Ｓ１のインキツボキーのインキ供給量調整後の開き量とインキ供給量調整前の基準の開き量との差の合計値を求め、メモリＭ４８に格納する。そして、メモリＭ２５より今回の各色の第１の範囲Ｓ１のインキツボキーのインキ供給量調整後の開き量とインキ供給量調整前の基準の開き量との差の数を読み出し（ステップ３９８）、今回の各色の第１の範囲Ｓ１のインキツボキーのインキ供給量調整後の開き量とインキ供給量調整前の基準の開き量との差の平均値ΔθＸ１を求め、メモリＭ４９に格納する（ステップ３９９）。
【０１２８】
以下、同様にして、今回の各色の第２の範囲Ｓ２のインキツボキーのインキ供給量調整後の開き量とインキ供給量調整前の基準の開き量との差の平均値ΔθＸ２を求めてメモリＭ５１に格納し（ステップ４００〜４０２）、今回の各色の第３の範囲Ｓ３のインキツボキーのインキ供給量調整後の開き量とインキ供給量調整前の基準の開き量との差の平均値ΔθＸ３を求めてメモリＭ５３に格納し（ステップ４０３〜４０５）、今回の各色の第４の範囲Ｓ４のインキツボキーのインキ供給量調整後の開き量とインキ供給量調整前の基準の開き量との差の平均値ΔθＸ４を求めてメモリＭ５５に格納する（ステップ４０６〜４０８）。
【０１２９】
次に、ＣＰＵ１３Ａは、メモリＭ５中の過去の各色の第１の範囲Ｓ１のインキツボキーのインキ供給量調整後の開き量とインキ供給量調整前の開き量との差の平均値より、過去の各色の第１の範囲Ｓ１のインキツボキーのインキ供給量調整後の開き量とインキ供給量調整前の開き量との差の平均値の合計値を求め（ステップ４０９）、メモリＭ６より過去の各色の第１の範囲Ｓ１のインキツボキーのインキ供給量調整後の開き量とインキ供給量調整前の開き量との差の平均値の数を読み出し（ステップ４１０）、過去の各色の第１の範囲Ｓ１のインキツボキーのインキ供給量調整後の開き量とインキ供給量調整前の開き量との差の平均値の平均値ΔθＹ１を求め、メモリＭ５６に格納する（ステップ４１１）。
【０１３０】
以下、同様にして、過去の各色の第２の範囲Ｓ２のインキツボキーのインキ供給量調整後の開き量とインキ供給量調整前の開き量との差の平均値の平均値ΔθＹ２を求めてメモリＭ５７に格納し（ステップ４１２〜４１４）、過去の各色の第３の範囲Ｓ３のインキツボキーのインキ供給量調整後の開き量とインキ供給量調整前の開き量との差の平均値の平均値ΔθＹ３を求めてメモリＭ５８に格納し（ステップ４１５〜４１７）、過去の各色の第４の範囲Ｓ４のインキツボキーのインキ供給量調整後の開き量とインキ供給量調整前の開き量との差の平均値の平均値ΔθＹ４を求めてメモリＭ５９に格納する（ステップ４１８〜４２０）。
【０１３１】
そして、メモリＭ４９より今回の最初の色の第１の範囲Ｓ１のインキツボキーのインキ供給量調整後の開き量とインキ供給量調整前の基準の開き量との差の平均値ΔθＸ１を読み出し（図３０に示すステップ４２１）、またメモリＭ５６より過去の最初の色の第１の範囲Ｓ１のインキツボキーのインキ供給量調整後の開き量とインキ供給量調整前の開き量との差の平均値の平均値ΔθＹ１を読み出し（ステップ４２２）、今回の最初の色のΔθＸ１とΔθＹ１のプラス／マイナスの方向が一致しているか否かをチェックする（ステップ４２３）。このとき、ΔθＸ１とΔθＹ１の何れか一方が０であった場合、両者のプラス／マイナスの方向は同方向であると判断する。
【０１３２】
今回の最初の色のΔθＸ１とΔθＹ１の方向が同方向であった場合（ステップ４２３のＹＥＳ）、ＣＰＵ１３Ａは、メモリＭ６０より最初の色のインキツボキーの開き量の第１の補正係数ＫＢ１を読み出し（ステップ４２４）、この補正係数ＫＢ１をステップ４２１で読み出したΔθＸ１に掛けて、今回の最初の色のインキツボキーの開き量の補正量Δθspを求め（Δθsp＝ΔθＸ１×ＫＢ１）、メモリＭ６２に格納する（ステップ４２５）。
【０１３３】
今回の最初の色のΔθＸ１とΔθＹ１の方向が異方向であった場合（ステップ４２３のＮＯ）、ＣＰＵ１３Ａは、メモリＭ６１より最初の色のインキツボキーの開き量の第２の補正係数ＫＢ２を読み出し（ステップ４２６）、この補正係数ＫＢ２をステップ４２１で読み出したΔθＸ１に掛けて、今回の最初の色のインキツボキーの開き量の補正量Δθspを求め（Δθsp＝ΔθＸ１×ＫＢ２）、メモリＭ６２に格納する（ステップ４２７）。
【０１３４】
そして、今回の最初の色のインキツボキーの開き量の補正量Δθspが０でなければ（ステップ４２８のＹＥＳ）、インキツボキーの開き量の補正量学習の有無記憶用のメモリＭ３２の最初の色用のアドレスに「１」を書き込む（ステップ４２９）。そして、メモリＭ２より現在の最初の色のインキツボキーの開き量の補正量Δθspnew を読み出し（ステップ４３０）、この読み出した現在の最初の色のインキツボキーの開き量の補正量Δθspnew に今回の最初の色のインキツボキーの開き量の補正量Δθspを加え、補正した最初の色のインキツボキーの開き量の補正量としてメモリＭ６３に格納すると共に（ステップ４３１）、次回の最初の色のインキツボキーの開き量の補正量Δθspnew としてメモリＭ２に上書きする（ステップ４３２）。
【０１３５】
次に、ＣＰＵ１３Ａは、メモリＭ４９より今回の次の色の第１の範囲Ｓ１のインキツボキーのインキ供給量調整後の開き量とインキ供給量調整前の基準の開き量との差の平均値ΔθＸ１を読み出し（図３１に示すステップ４３４）、またメモリＭ５６より今回の過去の次の色の第１の範囲Ｓ１のインキツボキーのインキ供給量調整後の開き量とインキ供給量調整前の開き量との差の平均値の平均値ΔθＹ１を読み出し（ステップ４３５）、先のステップ４２３〜４３２に対応するステップ４３６〜４４５の処理を実行することにより、今回の次の色のインキツボキーの開き量の補正量Δθspを求め、この今回の最初の色のインキツボキーの開き量の補正量Δθspを現在の次の色のインキツボキーの開き量の補正量Δθspnew に加え、次回の次の色のインキツボキーの開き量の補正量Δθspnew としてメモリＭ２に上書きする。
【０１３６】
ＣＰＵ１３Ａは、ステップ４３４〜４４６の処理を全ての色について繰り返し、全ての色について処理を完了すれば（ステップ４４６のＹＥＳ）、図３２に示すステップ４４７へ進む。
【０１３７】
〔インキツボキーの開き量の変化からのインキツボローラの送り量の補正量（第２の補正量）の学習〕
ステップ４４７において、ＣＰＵ１３Ａは、メモリＭ３７より今回の最初の色のインキツボローラのインキ供給量調整後の送り量とインキ供給量調整前の基準の送り量との差ΔＮＳ’を読み出す。そして、メモリＭ５３より今回の最初の色の第３の範囲Ｓ３のインキツボキーのインキ供給量調整後の開き量とインキ供給量調整前の基準の開き量との差の平均値ΔθＸ３を読み出し（ステップ４４８）、今回の最初の色のΔＮＳ’とΔθＸ３のプラス／マイナスの方向が一致しているか否かをチェックする（ステップ４４９）。このとき、ΔＮＳ’とΔθＸ３の何れか一方が０であった場合、両者のプラス／マイナスの方向は同方向であると判断する。
【０１３８】
今回の最初の色のΔＮＳ’とΔθＸ３の方向が同方向であった場合（ステップ４４９のＹＥＳ）、ＣＰＵ１３Ａは、メモリＭ５８より過去の最初の色の第３の範囲Ｓ３のインキツボキーのインキ供給量調整後の開き量とインキ供給量調整前の基準の開き量との差の平均値の平均値ΔθＹ３を読み出し（ステップ４５０）、今回の最初の色のΔθＹ３とΔθＸ３のプラス／マイナスの方向が一致しているか否かをチェックする（ステップ４５１）。このとき、ΔθＹ３とΔθＸ３の何れか一方が０であった場合、両者のプラス／マイナスの方向は同方向であると判断する。
【０１３９】
今回の最初の色のΔθＹ３とΔθＸ３の方向が同方向であった場合（ステップ４５１のＹＥＳ）、ＣＰＵ１３Ａは、メモリＭ６８より最初の色のインキツボローラの送り量の第３の補正係数ＫＡ３を読み出し（ステップ４５２）、この補正係数ＫＡ３をΔθＸ３に掛けて、今回の最初の色のインキツボローラの第２の補正量ΔＮＳsp2 を求め（ΔＮＳsp2 ＝ΔθＸ３×ＫＡ３）、メモリＭ７０に格納する（ステップ４５３）。
【０１４０】
今回の最初の色のΔθＹ３とΔθＸ３の方向が異方向であった場合（ステップ４５１のＮＯ）、ＣＰＵ１３Ａは、メモリＭ６９より最初の色のインキツボローラの送り量の第４の補正係数ＫＡ４（ＫＡ３＞ＫＡ３）を読み出し（ステップ４５４）、この補正係数ＫＡ４をΔθＸ３に掛けて、今回の最初の色のインキツボローラの第２の補正量ΔＮＳsp2 を求め（ΔＮＳsp2 ＝ΔθＸ３×ＫＡ４）、メモリＭ７０に格納する（ステップ４５５）。
【０１４１】
そして、メモリＭ１より現在の最初の色のインキツボローラの送り量の補正量ΔＮＳspnew を読み出し（ステップ４６１）、この読み出した現在の最初の色のインキツボローラの送り量の補正量ΔＮＳspnew に今回の最初の色のインキツボローラの送り量の第２の補正量ΔＮＳsp2 を加え、補正した最初の色のインキツボローラの送り量の補正量としてメモリＭ４３に格納すると共に（ステップ４６２）、次回の最初の色のインキツボローラの送り量の補正量ΔＮＳspnew としてメモリＭ１に上書きする（ステップ４６３）。
【０１４２】
なお、ステップ４４９において、今回の最初の色のΔＮＳ’とΔθＸ３の方向が異方向であった場合（ステップ４４９のＮＯ）、ＣＰＵ１３Ａは、今回の最初の色のΔＮＳ’の絶対値とΔθＸ３の絶対値を求め（ステップ４５６，４５７）、ΔθＸ３の絶対値とΔＮＳ’の絶対値との差をメモリＭ６６に格納する（ステップ４５８）。そして、メモリＭ６７より最初の色のインキツボローラの送り量修正の要否判断用の基準値αｔｈを読み出し（ステップ４５９）、今回の最初の色のΔθＸ３の絶対値とΔＮＳ’の絶対値との差がαｔｈを超えていれば（ステップ４６０のＹＥＳ）、ステップ４５１で今回の最初の色のΔθＹ３とΔθＸ３の方向が異方向であった場合と同様にして、メモリＭ６９より最初の色のインキツボローラの送り量の第４の補正係数ＫＡ４を読み出し（ステップ４５４）、この補正係数ＫＡ４をΔθＸ３に掛けて、今回の最初の色のインキツボローラの第２の補正量ΔＮＳsp2 を求め（ΔＮＳsp2 ＝ΔθＸ３×ＫＡ４）、メモリＭ７０に格納する（ステップ４５５）。
【０１４３】
次に、ＣＰＵ１３Ａは、メモリＭ３７より今回の次の色のインキツボローラのインキ供給量調整後の送り量とインキ供給量調整前の基準の送り量との差ΔＮＳ’を読み出し（図３３に示すステップ４６５）、またメモリＭ５３より今回の次の色の第３の範囲Ｓ３のインキツボキーのインキ供給量調整後の開き量とインキ供給量調整前の基準の開き量との差の平均値ΔθＸ３を読み出し（ステップ４６６）、先のステップ４４９〜４６３に対応するステップ４６７〜４８１の処理を行うことにより、今回の次の色のインキツボローラの送り量の第２の補正量ΔＮＳsp2 を求め、この第２の補正量ΔＮＳsp2 を現在の次の色のインキツボローラの送り量の補正量ΔＮＳspnew に加え、これを次回の次の色のインキツボローラの送り量の補正量ΔＮＳspnew としてメモリＭ１に上書きする。
【０１４４】
ＣＰＵ１３Ａは、ステップ４６５〜４８２の処理を全ての色について繰り返し、全ての色について処理を完了すれば（ステップ４８２のＹＥＳ）、図３４に示すステップ４８３へ進む。
【０１４５】
〔インキツボキーの開き量の変化からのインキツボローラの送り量の補正量（第３の補正量）の学習〕
ステップ４８３において、ＣＰＵ１３Ａは、メモリＭ２９より今回の最初の色の第３の範囲Ｓ３のインキツボキーのインキ供給量調整後の開き量とインキ供給量調整前の開き量との差の数を読み出す。この読み出した今回の最初の色の第３の範囲Ｓ３のインキツボキーのインキ供給量調整後の開き量とインキ供給量調整前の開き量との差の数が０であれば（ステップ４８４のＮＯ）、メモリＭ３１より今回の最初の色の第４の範囲Ｓ４のインキツボキーのインキ供給量調整後の開き量とインキ供給量調整前の開き量との差の数を読み出し（ステップ４８５）、この読み出した今回の最初の色の第４の範囲Ｓ４のインキツボキーのインキ供給量調整後の開き量とインキ供給量調整前の開き量との差の数もまた０であるか否かをチェックする（ステップ４８６）。
【０１４６】
今回の最初の色の第３の範囲Ｓ３および第４の範囲Ｓ４のインキツボキーのインキ供給量調整後の開き量とインキ供給量調整前の開き量との差の数が共に０であれば（ステップ４８６のＮＯ）、ＣＰＵ１３Ａは、インキツボキーの開き量の補正量学習の有無記憶用のメモリＭ３２の最初の色用のアドレスの内容を読み出し（ステップ４８７）、そのアドレスの内容が「１」であれば（ステップ４８８のＹＥＳ）、メモリＭ４９より今回の最初の色の第１の範囲Ｓ１のインキツボキーのインキ供給量調整後の開き量とインキ供給量調整前の基準の開き量との差の平均値ΔθＸ１を読み出す（ステップ４８９）。
【０１４７】
そして、メモリＭ５１より今回の最初の色の第２の範囲Ｓ２のインキツボキーのインキ供給量調整後の開き量とインキ供給量調整前の基準の開き量との差の平均値ΔθＸ２を読み出し（ステップ４９０）、今回の最初の色のΔθＸ１とΔθＸ２の方向が異方向であれば（ステップ４９１のＮＯ）、メモリＭ７１より最初の色のインキツボローラの送り量の第５の補正係数ＫＡ５を読み出し（ステップ４９２）、この補正係数ＫＡ５をΔθＸ２に掛けて、今回の最初の色のインキツボローラの第３の補正量ΔＮＳsp3 を求め（ΔＮＳsp3 ＝ΔθＸ２×ＫＡ５）、メモリＭ７２に格納する（ステップ４９３）。
【０１４８】
そして、メモリＭ１より現在の最初の色のインキツボローラの送り量の補正量ΔＮＳspnew を読み出し（ステップ４９４）、この読み出した現在の最初の色のインキツボローラの送り量の補正量ΔＮＳspnew に今回の最初の色のインキツボローラの送り量の第３の補正量ΔＮＳsp3 を加え、補正した最初の色のインキツボローラの送り量の補正量としてメモリＭ４３に格納すると共に（ステップ４９５）、次回の最初の色のインキツボローラの送り量の補正量ΔＮＳspnew としてメモリＭ１に上書きする（ステップ４９６）。
【０１４９】
次に、ＣＰＵ１３Ａは、メモリＭ２９より今回の次の色の第３の範囲Ｓ３のインキツボキーのインキ供給量調整後の開き量とインキ供給量調整前の開き量との差の数を読み出し（図３５に示すステップ４９８）、先のステップ４８４〜４９６に対応するステップ４９９〜５１１の処理を行うことにより、今回の次の色のインキツボローラの送り量の第３の補正量ΔＮＳsp3 を求め、この第３の補正量ΔＮＳsp3 を現在の次の色のインキツボローラの送り量の補正量ΔＮＳspnew に加え、これを次回の次の色のインキツボローラの送り量の補正量ΔＮＳspnew としてメモリＭ１に上書きする。
【０１５０】
ＣＰＵ１３Ａは、ステップ４９８〜５１２の処理を全ての色について繰り返し、全ての色について処理を完了すれば（ステップ５１２のＹＥＳ）、図３６に示すステップ５１３へ進む。
【０１５１】
〔履歴データの記憶〕
ステップ５１３において、ＣＰＵ１３Ａは、メモリＭ７３より過去の履歴データの記憶数の上限値を読み出す。そして、メモリＭ４より記憶された過去の最初の色のインキツボローラのインキ供給量調整後の送り量とインキ供給量調整前の基準の送り量との差の数を読み出し（ステップ５１４）、その数が過去の履歴データの記憶数の上限値以上であるか否かをチェックする（ステップ５１５）。
【０１５２】
記憶された過去の最初の色のインキツボローラのインキ供給量調整後の送り量とインキ供給量調整前の基準の送り量との差の数が過去の履歴データの記憶数の上限値以上であれば（ステップ５１５のＹＥＳ）、メモリＭ３７より今回の最初の色のインキツボローラのインキ供給量調整後の送り量とインキ供給量調整前の基準の送り量との差ΔＮＳ’を読み出し（ステップ５１６）、ΔＮＳ’が０でなければ（ステップ５１７のＹＥＳ）、メモリＭ３より最も古い過去の最初の色のインキツボローラのインキ供給量調整後の送り量とインキ供給量調整前の基準の送り量との差を削除し（ステップ５１８）、メモリＭ３の最初の色用のアドレス内に、今回の最初の色のインキツボローラのインキ供給量調整後の送り量とインキ供給量調整前の基準の送り量との差ΔＮＳ’を書き込む（ステップ５１９）。
【０１５３】
記憶された過去の最初の色のインキツボローラのインキ供給量調整後の送り量とインキ供給量調整前の基準の送り量との差の数が過去の履歴データの記憶数の上限値に達していなければ（ステップ５１５のＮＯ）、メモリＭ３７より今回の最初の色のインキツボローラのインキ供給量調整後の送り量とインキ供給量調整前の基準の送り量との差ΔＮＳ’を読み出し（ステップ５２０）、ΔＮＳ’が０でなければ（ステップ５２１のＹＥＳ）、メモリＭ３の最初の色用のアドレス内に、今回の最初の色のインキツボローラのインキ供給量調整後の送り量とインキ供給量調整前の基準の送り量との差ΔＮＳ’を書き込むと共に（ステップ５２２）、メモリＭ４中の記憶された過去の最初の色のインキツボローラのインキ供給量調整後の送り量とインキ供給量調整前の基準の送り量との差の数に１を加算する（ステップ５２３）。
【０１５４】
次に、ＣＰＵ１３Ａは、メモリＭ７３より過去の履歴データの記憶数の上限値を読み出し（図３７に示すステップ５２５）、またメモリＭ４より記憶された過去の次の色のインキツボローラのインキ供給量調整後の送り量とインキ供給量調整前の基準の送り量との差の数を読み出し（ステップ５２６）、ステップ５１５〜５２３に対応するステップ５２７〜５３５の処理を行うことにより、メモリＭ３の次の色用のアドレス内に、今回の最初の色のインキツボローラのインキ供給量調整後の送り量とインキ供給量調整前の基準の送り量との差ΔＮＳ’を書き込む。
【０１５５】
ＣＰＵ１３Ａは、ステップ５２５〜５３６の処理を全ての色について繰り返し、全ての色について処理を完了すれば（ステップ５３６のＹＥＳ）、図３８に示すステップ５３７へ進む。
【０１５６】
ステップ５３７において、ＣＰＵ１３Ａは、メモリＭ７３より過去の履歴データの記憶数の上限値を読み出す。そして、メモリＭ６より記憶された過去の最初の色の第１の範囲Ｓ１のインキツボキーのインキ供給量調整後の開き量とインキ供給量調整前の基準の開き量との差の平均値の数を読み出し（ステップ５３８）、その数が過去の履歴データの記憶数の上限値以上であるか否かをチェックする（ステップ５３９）。
【０１５７】
記憶された過去の最初の色の第１の範囲Ｓ１のインキツボキーのインキ供給量調整後の開き量とインキ供給量調整前の基準の開き量との差の平均値の数が過去の履歴データの記憶数の上限値以上であれば（ステップ５３９のＹＥＳ）、メモリＭ４９より今回の最初の色の第１の範囲のＳ１のインキツボキーのインキ供給量調整後の開き量とインキ供給量調整前の基準の開き量の差の平均値ΔθＸ１を読み出し（ステップ５４０）、ΔθＸ１が０でなければ（ステップ５４１のＹＥＳ）、メモリＭ５より最も古い過去の最初の色の第１の範囲のＳ１のインキツボキーのインキ供給量調整後の開き量とインキ供給量調整前の基準の開き量の差の平均値を削除し（ステップ５４２）、メモリＭ５の最初の色用のアドレス内に、今回の最初の色の第１の範囲のＳ１のインキツボキーのインキ供給量調整後の開き量とインキ供給量調整前の基準の開き量の差の平均値ΔθＸ１を書き込む（ステップ５４３）。
【０１５８】
記憶された過去の最初の色の第１の範囲Ｓ１のインキツボキーのインキ供給量調整後の開き量とインキ供給量調整前の基準の開き量との差の平均値の数が過去の履歴データの記憶数の上限値に達していなければ（ステップ５３９のＮＯ）、メモリＭ４９より今回の最初の色の第１の範囲のＳ１のインキツボキーのインキ供給量調整後の開き量とインキ供給量調整前の基準の開き量の差の平均値ΔθＸ１を読み出し（ステップ５４４）、ΔθＸ１が０でなければ（ステップ５４５のＹＥＳ）、メモリＭ５の最初の色用のアドレス内に、今回の最初の色の第１の範囲のＳ１のインキツボキーのインキ供給量調整後の開き量とインキ供給量調整前の基準の開き量の差の平均値ΔθＸ１を書き込むと共に（ステップ５４６）、メモリＭ６中の記憶された過去の最初の色の第１の範囲Ｓ１のインキツボキーのインキ供給量調整後の開き量とインキ供給量調整前の基準の開き量との差の平均値の数に１を加算する（ステップ５４７）。
【０１５９】
以下、同様にして、メモリＭ７の最初の色用のアドレス内に、今回の最初の色の第２の範囲のＳ２のインキツボキーのインキ供給量調整後の開き量とインキ供給量調整前の基準の開き量の差の平均値ΔθＸ２、メモリＭ９の最初の色用のアドレス内に、今回の最初の色の第３の範囲のＳ３のインキツボキーのインキ供給量調整後の開き量とインキ供給量調整前の基準の開き量の差の平均値ΔθＸ３、メモリＭ１１の最初の色用のアドレス内に、今回の最初の色の第４の範囲のＳ４のインキツボキーのインキ供給量調整後の開き量とインキ供給量調整前の基準の開き量の差の平均値ΔθＸ４を書き込んで行く（図３９〜図４１：ステップ５４８〜５８１）。最初の色について処理を完了すれば（ステップ５８１のＹＥＳ）、次の色についても同様の処理を行い（図４２〜図４５：ステップ５８２〜６２６）、全ての色について処理を完了すれば（ステップ６２６のＹＥＳ）、図１６のステップ２１３に戻る。
【０１６０】
〔実施の形態３〕
実施の形態２では、図２０および図２１に示したフローチャートにおいて、最初の色の最初のインキツボキーに対応するエリアの絵柄面積率と予め定められた最初の色の第１，第２，第３の範囲判断用の絵柄面積率とを比較することによって、最初の色の最初のインキツボキーが４つの範囲Ｓ１〜Ｓ４のうちのどの範囲に属するのかを判定するようにした。これに対し、実施の形態３では、図４８および図４９にそのフローチャートを示すように、最初の色の最初のインキツボキーのインキ供給量調整前の基準の開き量を読み出し、この読み出した最初の色の最初のインキツボキーのインキ供給量調整前の基準の開き量と予め定められた最初の色の第１，第２，第３の範囲判断用のインキツボキーの開き量とを比較することによって、最初の色の最初のインキツボキーが４つの範囲Ｓ１〜Ｓ４のうちのどの範囲に属するのかを判定するようにする（ステップ２８５’〜２８７’、ステップ２９３’，２９４’、ステップ３００’，３０１’）。
【０１６１】
この場合、図２２および図２３、図２４および図２５、図２６および図２７に示したフローチャートにおいても同様にして、インキツボキーの属する範囲をインキツボキーのインキ供給量調整前の基準の開き量に基づいて判定する。参考として、図２２および図２３に対応するフローチャートを図５０および図５１に、図２４および図２５に対応するフローチャートを図５２および図５３に、図２６および図２７に対応するフローチャートを図５４および図５５に示す。他は実施の形態２と全く同じであるので、フローチャートの記載は省略する。。
【０１６２】
なお、上述した実施の形態１〜３では、インキツボキーに対応するエリアの絵柄の度合いを知るために絵柄面積率を使用するようにしたが、絵柄面積そのものを使用するようにしてもよい。また、インキツボローラの基準の送り量（補正される前の基準の送り量）を「絵柄面積率−インキツボローラ送り量変換カーブ」から求めるようにしたが、固定的に定められた基準の送り量を使用し、この固定的に定められた基準の送り量に前回学習された補正量ΔＮＳspnew を加えてインキ供給量調整前の基準の送り量（プリセットする基準の送り量）とするようにしてもよい。なお、前回学習された補正量ΔＮＳspnew がない場合、すなわちΔＮＳspnew が０である場合、「絵柄面積率−インキツボローラ送り量変換カーブ」から求められた基準の送り量や固定的に定められた基準の送り量がインキ供給量調整前の基準の送り量とされることは言うまでもない。
【０１６３】
また、実施の形態２および３では、過去の各色の第１の範囲Ｓ１〜第４の範囲Ｓ４のインキツボキーの修正方向の傾向を見る場合、過去の各色の第１の範囲Ｓ１〜第４の範囲Ｓ４のインキツボキーのインキ供給量調整後の開き量とインキ供給量調整前の基準の開き量との差の平均値を記憶し、過去の各色の第１の範囲Ｓ１〜第４の範囲Ｓ４のインキツボキーのインキ供給量調整後の開き量とインキ供給量調整前の基準の開き量との差の平均値の平均値を求めるようにしたが、代わりに、過去の各色の第１の範囲Ｓ１〜第４の範囲Ｓ４の各インキツボキーのインキ供給量調整後の開き量とインキ供給量調整前の基準の開き量との差を記憶し、過去の各色の第１の範囲Ｓ１〜第４の範囲Ｓ４の各インキツボキーのインキ供給量調整後の開き量とインキ供給量調整前の基準の開き量との差の平均値を求めるようにしてもよい。
【図面の簡単な説明】
【０１６４】
【図１】本発明の実施に用いる印刷機のインキ供給量調整装置の一例（実施の形態１）を示すブロック図である。
【図２】このインキ供給量調整装置におけるインキツボローラの送り量の補正量およびインキツボキーの開き量の補正量の学習動作を示すフローチャートである。
【図３】図２に続くフローチャートである。
【図４】絵柄面積率とインキツボキーの開き量との関係を示す近似曲線Ｉ〜IVを示す図である。
【図５】インキツボキーの開き量の変化やインキツボローラの送り量の変化に対する絵柄面積率の第１〜第４の範囲の濃度影響度を示す図である。
【図６】図３に続くフローチャートである。
【図７】図６に続くフローチャートある。
【図８】図７に続くフローチャートである。
【図９】実施の形態１をさらに具体化したインキ供給量制御装置のブロック図（実施の形態２）である。
【図１０】このインキ供給量制御装置におけるメモリの内容を分割して示す図である。
【図１１】このインキ供給量制御装置におけるメモリの内容を分割して示す図である。
【図１２】このインキ供給量制御装置におけるメモリの内容を分割して示す図である。
【図１３】このインキ供給量制御装置におけるメモリの内容を分割して示す図である。
【図１４】このインキ供給量制御装置に接続されるインキツボキー制御装置のブロック図である。
【図１５】このインキ供給量制御装置に接続されるインキツボローラ制御装置のブロック図である。
【図１６】このインキ供給量調整装置におけるインキツボローラの送り量の補正量およびインキツボキーの開き量の補正量の学習動作を示すフローチャートである。
【図１７】図１６に続くフローチャートである。
【図１８】図１７に続くフローチャートである。
【図１９】図１８に続くフローチャートである。
【図２０】図１９に続くフローチャートである。
【図２１】図２０に続くフローチャートである。
【図２２】図２０に続くフローチャートである。
【図２３】図２２に続くフローチャートである。
【図２４】図２２に続くフローチャートである。
【図２５】図２４に続くフローチャートである。
【図２６】図２４に続くフローチャートである。
【図２７】図２６に続くフローチャートである。
【図２８】図２６に続くフローチャートである。
【図２９】図２８に続くフローチャートである。
【図３０】図２９に続くフローチャートである。
【図３１】図３０に続くフローチャートである。
【図３２】図３１に続くフローチャートである。
【図３３】図３２に続くフローチャートである。
【図３４】図３３に続くフローチャートである。
【図３５】図３４に続くフローチャートである。
【図３６】図３５に続くフローチャートである。
【図３７】図３６に続くフローチャートである。
【図３８】図３６に続くフローチャートである。
【図３９】図３８に続くフローチャートである。
【図４０】図３９に続くフローチャートである。
【図４１】図４０に続くフローチャートである。
【図４２】図４１に続くフローチャートである。
【図４３】図４２に続くフローチャートである。
【図４４】図４３に続くフローチャートである。
【図４５】図４４に続くフローチャートである。
【図４６】インキツボローラ制御装置での処理動作を示すフローチャートである。
【図４７】インキツボキー制御装置での処理動作を示すフローチャートである。
【図４８】図２０のフローチャートに対応する実施の形態３のフローチャートである。
【図４９】図２１のフローチャートに対応する実施の形態３のフローチャートである。
【図５０】図２２のフローチャートに対応する実施の形態３のフローチャートである。
【図５１】図２３のフローチャートに対応する実施の形態３のフローチャートである。
【図５２】図２４のフローチャートに対応する実施の形態３のフローチャートである。
【図５３】図２５のフローチャートに対応する実施の形態３のフローチャートである。
【図５４】図２６のフローチャートに対応する実施の形態３のフローチャートである。
【図５５】図２７のフローチャートに対応する実施の形態３のフローチャートである。
【図５６】輪転印刷機における各色の印刷ユニット内のインキ供給装置の要部を示す図である。
【符号の説明】
【０１６５】
１…インキツボ、２…インキ、３…インキツボローラ、４（４−１〜４−ｎ）…インキツボキー、５…インキ移しローラ、６…インキローラ群、７…刷版、８…版胴、９…インキ供給量制御装置、９−１…ＣＰＵ、９−２…ＲＡＭ、９−３…ＲＯＭ、９−４…入力装置、９−５…メモリ、ＢＴ１…学習ボタン、ＢＴ２…インキツボローラの送り量調整ボタン、ＢＴ３…インキツボキーの開き量調整ボタン、１０…印刷機制御装置、１１…インキツボローラ制御装置、１２…インキツボキー制御装置、１３…インキ供給量制御装置、１４…インキツボキー制御装置、１５…インキツボローラ制御装置。
【図１】
2006137096.tif 000003
【図２】
2006137096.tif 000004
【図３】
2006137096.tif 000005
【図４】
2006137096.tif 000006
【図５】
2006137096.tif 000007
【図６】
2006137096.tif 000008
【図７】
2006137096.tif 000009
【図８】
2006137096.tif 000010
【図９】
2006137096.tif 000011
【図１０】
2006137096.tif 000012
【図１１】
2006137096.tif 000013
【図１２】
2006137096.tif 000014
【図１３】
2006137096.tif 000015
【図１４】
2006137096.tif 000016
【図１５】
2006137096.tif 000017
【図１６】
2006137096.tif 000018
【図１７】
2006137096.tif 000019
【図１８】
2006137096.tif 000020
【図１９】
2006137096.tif 000021
【図２０】
2006137096.tif 000022
【図２１】
2006137096.tif 000023
【図２２】
2006137096.tif 000024
【図２３】
2006137096.tif 000025
【図２４】
2006137096.tif 000026
【図２５】
2006137096.tif 000027
【図２６】
2006137096.tif 000028
【図２７】
2006137096.tif 000029
【図２８】
2006137096.tif 000030
【図２９】
2006137096.tif 000031
【図３０】
2006137096.tif 000032
【図３１】
2006137096.tif 000033
【図３２】
2006137096.tif 000034
【図３３】
2006137096.tif 000035
【図３４】
2006137096.tif 000036
【図３５】
2006137096.tif 000037
【図３６】
2006137096.tif 000038
【図３７】
2006137096.tif 000039
【図３８】
2006137096.tif 000040
【図３９】
2006137096.tif 000041
【図４０】
2006137096.tif 000042
【図４１】
2006137096.tif 000043
【図４２】
2006137096.tif 000044
【図４３】
2006137096.tif 000045
【図４４】
2006137096.tif 000046
【図４５】
2006137096.tif 000047
【図４６】
2006137096.tif 000048
【図４７】
2006137096.tif 000049
【図４８】
2006137096.tif 000050
【図４９】
2006137096.tif 000051
【図５０】
2006137096.tif 000052
【図５１】
2006137096.tif 000053
【図５２】
2006137096.tif 000054
【図５３】
2006137096.tif 000055
【図５４】
2006137096.tif 000056
【図５５】
2006137096.tif 000057
【図５６】
2006137096.tif 000058